(57)【特許請求の範囲】
【請求項１】
データプロセッサを用いて表示デバイス上にＧＵＩを表示するための命令を生成する方法であって、当該ＧＵＩは環境内の人の日常生活動作（ＡＤＬ）のモニタリング用であり、各複数の異なる時点におけるＡＤＬをあらわすための複数のグラフィック要素を有し、当該グラフィック要素が各々、少なくとも第一のグラフィック特徴と、第一のグラフィック特徴と異なる第二のグラフィック特徴により定義され、
前記データプロセッサが、
前記複数の異なる時点の各々についてＡＤＬの属性を取得するステップと、
第一のグラフィック特徴を定義するステップと、
第二のグラフィック特徴を定義するステップであって、第二のグラフィック特徴はグラフィック要素の寸法を有する、ステップと、
各グラフィック要素について、
前記複数の異なる時点の異なる一つに対応するＡＤＬの属性に基づいて第一のグラフィック特徴を設定するステップと、
その特定の要素の第一のグラフィック特徴の設定が基づいたＡＤＬの属性に対応する時点に基づいて第二のグラフィック特徴を設定するステップと、
前記ＧＵＩを表示するための命令を生成するステップと
を実行するステップを有する方法において、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、前記他のグラフィック要素に対する各グラフィック特徴の寸法が、それぞれの時点と現在時刻との間の時間差が増加することに伴い減少することを特徴とする、
方法。
【請求項２】
前記データプロセッサがさらに、
ＡＤＬの属性を第一の閾値と比較するステップと、
取得されたＡＤＬの属性が第一の閾値以上である場合、第一のグラフィック特徴を第一の特徴値へ設定するステップ、又は、
取得されたＡＤＬの属性が第一の閾値未満である場合、第一のグラフィック特徴を第一の特徴値と異なる第二の特徴値へ設定するステップ
を実行する、請求項１に記載の方法。
【請求項３】
前記データプロセッサが前記ステップを繰り返し実行する、請求項１に記載の方法。
【請求項４】
各グラフィック要素が第三のグラフィック特徴により定義され、
前記複数のグラフィック要素が、現在時刻に最も近い時点に対応するＡＤＬの属性をあらわす主グラフィック要素を有し、
前記データプロセッサが、
ＧＵＩにおける位置になるように第三のグラフィック特徴を定義するステップと、
少なくとも前記主グラフィック要素を除く複数のグラフィック要素の位置を、それらがあらわすＡＤＬの属性の現在時刻に対する時間の増加若しくは減少の順にグラフィック要素のアレイにＧＵＩにおいて配列されるように、設定するステップと
を実行する、
請求項１に記載の方法。
【請求項５】
前記データプロセッサが、
現在時刻に最も近い時点に対応するＡＤＬの属性をあらわす前記グラフィック要素の周縁エッジの周りに第三のグラフィック要素を表示するステップであって、前記第三のグラフィック要素は、周縁タイムラインをあらわし、径方向に前記周縁エッジから外側へのびる棒状の要素を含み、前記棒状の要素の各々は、異なる時間におけるＡＤＬの値をあらわす長さを有する、表示するステップ
を実行する、請求項１に記載の方法。
【請求項６】
前記データプロセッサが、
線形アレイになるように前記アレイを定義するステップと、
前記アレイを行型に方向付け、前記アレイを前記主グラフィック要素の隣、及びそれより上若しくは下のいずれかに位置付けるステップ、又は、
前記アレイを列型に方向付け、前記アレイを前記主グラフィック要素の隣、及びその左側若しくは右側のいずれかに位置付けるステップ
を実行する、請求項４に記載の方法。
【請求項７】
前記複数のグラフィック要素が、現在時刻に最も近い時点に対応するＡＤＬの属性をあらわす主グラフィック要素を有し、
ＡＤＬの属性が期間にわたる属性の平均若しくは累積値を有し、
前記データプロセッサがさらに、前記主グラフィック要素によりあらわされるＡＤＬの属性を英数字値としても提供するステップを実行する、
請求項１に記載の方法。
【請求項８】
ＧＵＩが人の複数のＡＤＬのモニタリング用であり、
前記データプロセッサが、
前記人の複数のＡＤＬの属性を取得するステップと、
前記複数のＡＤＬの各一つについて、その一つのＡＤＬをあらわす一つ以上のグラフィック要素をＡＤＬ  ＧＵＩエリア内に位置するように配置するステップと、
異なるＡＤＬ  ＧＵＩエリアを、それらが少なくとも部分的に重ならないようにＧＵＩエリア内に位置付けるステップと
を実行する、
請求項１に記載の方法。
【請求項９】
前記異なるＡＤＬ  ＧＵＩエリアを位置付けるステップが、行若しくは列方向のいずれかでＧＵＩ内に前記異なるＡＤＬ  ＧＵＩエリアを位置付けるステップを有する、請求項８に記載の方法。
【請求項１０】
前記データプロセッサが、
ＡＤＬのグラフィック要素によりあらわされるＡＤＬに対応する、人を識別するための識別データを取得するステップと、
前記識別データをＧＵＩに追加して、ＡＤＬのグラフィック要素が属する人をユーザが識別することを可能にするステップと
を実行する、請求項１に記載の方法。
【請求項１１】
前記ＧＵＩを表示するための前記命令を実行し、表示デバイスに前記ＧＵＩを表示させるステップをさらに有する、請求項１に記載の方法。
【請求項１２】
前記データプロセッサが、
複数の人のＡＤＬデータを有する第一のＧＵＩ画面から、前記複数の人の特定の一人のＡＤＬデータを示すＧＵＩ画面へスイッチする、又は追加ＧＵＩウィンドウにおいて前記複数の人の特定の一人のＡＤＬデータを示す、入力デバイス信号の形のユーザ入力を取得するステップ
を実行する、請求項１に記載の方法。
【請求項１３】
通信ネットワークからダウンロード可能なコンピュータプログラムを保存するための非一時的コンピュータ可読媒体であって、前記コンピュータプログラムは、コンピュータ上で実行されるとき、前記コンピュータに
複数の異なる時点の各々について、環境内の人の日常生活動作（ＡＤＬ）の属性を取得させ、
第一のグラフィック特徴を定義させ、
第二のグラフィック特徴を定義させ、第二のグラフィック特徴は、前記複数の異なる時点にわたるＡＤＬをあらわすためのグラフィック要素の寸法を有し、
前記グラフィック要素の各々に対し、前記複数の異なる時点の異なる一つに対応するＡＤＬの属性に基づいて第一のグラフィック特徴を設定させ、
前記グラフィック要素の各々に対し、その特定の要素の第一のグラフィック特徴の設定が基づいたＡＤＬの属性に対応する時点に基づいて第二のグラフィック特徴を設定させ、
表示装置上にＧＵＩを表示するための命令を生成させ、当該ＧＵＩはＡＤＬのモニタリング用であり、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、
現在時刻から最も遠い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも小さくなるように設定される、
コンピュータプログラムコード命令を有する、非一時的コンピュータ可読媒体。
【請求項１４】
前記データプロセッサが、
現在時刻に最も近い時点に対応するＡＤＬの属性をあらわすグラフィック要素を、前記他のグラフィック要素の上に表示するステップと、
第二のグラフィック要素及び第三のグラフィック要素を、前記現在時刻に最も近い時点に対応する前記グラフィック要素の隣、且つ前記他のグラフィック要素の上に表示するステップと、
を実行し、
第二のグラフィック要素は、昼間の期間中の現在時刻に最も近い時点に対応するＡＤＬの属性の値を示し、
第三のグラフィック要素は、夜間の期間中の現在時刻に最も近い時点に対応するＡＤＬの属性の値を示し、
第二のグラフィック要素は第三のグラフィック要素の上にある、
請求項１に記載の方法。
【請求項１５】
データプロセッサを用いて表示デバイス上にＧＵＩを表示するための命令を生成するシステムであって、当該ＧＵＩは環境内の人の日常生活動作（ＡＤＬ）のモニタリング用であり、各複数の異なる時点におけるＡＤＬをあらわすための複数のグラフィック要素を有し、当該グラフィック要素が各々、少なくとも第一のグラフィック特徴と、第一のグラフィック特徴と異なる第二のグラフィック特徴により定義され、前記システムが前記データプロセッサを有し、
前記データプロセッサが、
前記複数の異なる時点の各々についてＡＤＬの属性を取得し、
第一のグラフィック特徴を定義し、
グラフィック要素の寸法を有する、第二のグラフィック特徴を定義し、
各グラフィック要素について、
前記複数の異なる時点の異なる一つに対応するＡＤＬの属性に基づいて第一のグラフィック特徴を設定し、
その特定の要素の第一のグラフィック特徴の設定が基づいたＡＤＬの属性に対応する時点に基づいて第二のグラフィック特徴を設定し、
前記ＧＵＩを表示するための命令を生成する
ように構成され、
現在時刻に最も近い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも大きくなるように設定され、
現在時刻から最も遠い時点に対応するＡＤＬの属性をあらわすグラフィック要素について、そのグラフィック要素の第二のグラフィック特徴の寸法が、複数の要素の他のグラフィック要素に対する各グラフィック特徴の任意の寸法セットよりも小さくなるように設定され、
現在時刻に最も近い時点と最も遠い時点との間の時点に対応するＡＤＬの属性をあらわすグラフィック要素について、そのグラフィック要素の第二のグラフィック特徴の寸法が、現在時刻に最も近い時間から最も遠い時間へとサイズが減少する、
システム。
【請求項１６】
前記データプロセッサが、
ＡＤＬの属性を第一の閾値と比較し、
取得されたＡＤＬの属性が第一の閾値以上である場合、第一のグラフィック特徴を第一の特徴値へ設定する、又は、
取得されたＡＤＬの属性が第一の閾値未満である場合、第一のグラフィック特徴を第一の特徴値と異なる第二の特徴値へ設定する
ように構成される、請求項１５に記載のシステム。
【請求項１７】
前記データプロセッサがステップを繰り返し実行するように構成される、請求項１５に記載のシステム。
【請求項１８】
各グラフィック要素が第三のグラフィック特徴により定義され、
前記複数のグラフィック要素が、現在時刻に最も近い時点に対応するＡＤＬの属性をあらわす主グラフィック要素を有し、
前記データプロセッサが、
ＧＵＩにおける位置になるように第三のグラフィック特徴を定義し、
少なくとも前記主グラフィック要素を除く複数のグラフィック要素の位置を、それらがあらわすＡＤＬの属性の現在時刻に対する時間の増加若しくは減少の順にグラフィック要素のアレイにＧＵＩにおいて配列されるように、設定する
ように構成される、
請求項１５に記載のシステム。
【請求項１９】
第一のグラフィック要素は円形状である、請求項１５に記載のシステム。
【請求項２０】
前記データプロセッサが、
線形アレイになるように前記アレイを定義し、
前記アレイを行型に方向付け、前記アレイを前記主グラフィック要素の隣、及びそれより上若しくは下のいずれかに位置付ける、又は、
前記アレイを列型に方向付け、前記アレイを前記主グラフィック要素の隣、及びその左側若しくは右側のいずれかに位置付ける
ように構成される、請求項１８に記載のシステム。
【請求項２１】
前記複数のグラフィック要素が、現在時刻に最も近い時点に対応するＡＤＬの属性をあらわす主グラフィック要素を有し、
ＡＤＬの属性が期間にわたる属性の平均若しくは累積値を有し、
前記データプロセッサが、前記主グラフィック要素によりあらわされるＡＤＬの属性を英数字値としても提供するように構成される、
請求項１５に記載のシステム。
【請求項２２】
ＧＵＩが人の複数のＡＤＬのモニタリング用であり、
前記データプロセッサが、
前記人の複数のＡＤＬの属性を取得し、
前記複数のＡＤＬの各一つについて、その一つのＡＤＬをあらわす一つ以上のグラフィック要素をＡＤＬ  ＧＵＩエリア内に位置するように配置し、
異なるＡＤＬ  ＧＵＩエリアを、それらが少なくとも部分的に重ならないようにＧＵＩエリア内に位置付ける
ように構成される、
請求項１５に記載のシステム。
【請求項２３】
前記異なるＡＤＬ  ＧＵＩエリアを位置付けることが、行若しくは列方向のいずれかでＧＵＩ内に前記異なるＡＤＬ  ＧＵＩエリアを位置付けることを有する、請求項２２に記載のシステム。
【請求項２４】
前記データプロセッサが、
ＡＤＬのグラフィック要素によりあらわされるＡＤＬに対応する、人を識別するための識別データを取得し、
前記識別データをＧＵＩに追加して、ＡＤＬのグラフィック要素が属する人をユーザが識別することを可能にする
ように構成される、請求項１５に記載のシステム。
【請求項２５】
前記データプロセッサが更に、生成された前記命令に基づいてＧＵＩを表示する、請求項１５に記載のシステム。
【請求項２６】
前記データプロセッサを有し、生成されたＧＵＩの表示のための命令をクライアントデバイス若しくは通信ネットワークへ送信するように構成される、サーバデバイス
を有する、請求項１５に記載のシステム。
【請求項２７】
前記データプロセッサを有するサーバデバイスと、
前記表示デバイスを有するクライアントデバイス
を有し、
前記サーバデバイスが、生成されたＧＵＩの表示のための命令をリモートクライアントデバイスへ送信するように構成され、
前記リモートクライアントデバイスが、前記生成されたＧＵＩの表示のための命令を受信し、当該命令を用いてＧＵＩを表示するように構成される、
請求項２５に記載のシステム。
【請求項２８】
前記データプロセッサと前記表示デバイスを有するクライアントデバイス
を有する、請求項２５に記載のシステム。
【発明の詳細な説明】
【技術分野】
【０００１】
本発明は、人の日常生活動作（ＡＤＬ）のモニタリングに関し、より具体的には、ＧＵＩにおいて、ＡＤＬモニタリングシステムにより検出されるＡＤＬをあらわすグラフィック要素を表示することに関する。
【背景技術】
【０００２】
人の健康状態、身体能力、知能、又は負傷、入院及び治療後の回復の機能評価若しくはモニタリングは、老年医学、リハビリテーション及び理学療法、神経学及び整形外科、看護及び高齢者介護を含むほとんどの科で一番の関心事である。
【０００３】
被験者が慣れた環境にいるとき、混乱の減少により機能が増加するので、個人の機能的能力は実際には環境特異的であることが研究でわかっている。また、機能の一時評価は一日若しくは数日にわたる機能的パフォーマンスの変動性の評価を可能にせず、機能低下後の特定臨床サービス及び治療（リハビリテーションなど）の妥当性の決定において重要な変化の評価も可能にしない。
【０００４】
従って、人の独立機能をその家若しくは慣れた環境で評価若しくはモニタリングすることが好適であるというコンセンサスが存在する。
【０００５】
独立機能のレベルは、日常生活動作（ＡＤＬ）が実行される質により通常示される。ＡＤＬは日中に人が実行する最も一般的な活動をあらわす。従って、ＡＤＬの質の低下は必要なケアの指標になり得る。例えば、一つ以上のＡＤＬの正常パフォーマンスにおける異常は特別な注意の警告となり得る。
【０００６】
自分の家若しくは慣れた環境内で自立して生活している際に個人のＡＤＬをモニタリングするデバイスとシステムが開発されている。例えば、人の日常生活動作を検出するための一つのかかる既知のシステムは三つの主要コンポーネントを有する：（ｉ）人の動作と挙動についての情報を検知し収集するセンサシステム；（ｉｉ）ＡＤＬ挙動の決定のために収集情報を解釈するインテリジェンス（若しくは情報処理）システム；及び（ｉｉｉ）介護者が解釈された（処理された）情報を調査することを可能にするユーザインターフェースシステム。インテリジェンスシステムは典型的には人工知能などの当技術分野で既知の計算技術を利用する。システムはデータ収集、送信、及び保存のための従来の技術によりサポートされ得る。
【０００７】
実際には、しかしながら、ケアの実例において起こり得る広範のバリエーションにより大きな課題が直面される。例えば、人は異なる設計の家で生活し、異なるライフスタイルと習慣を持ち得る。介護者も異なるニーズ、場所及び／又はライフスタイルを持ち得る。また、異なる人々は異なるケアニーズを持ち得るので、動作及び挙動の異なる態様がモニタリングの関心対象となり得る。日常生活で起こり得るそれほど多くの可能な環境、状況及び背景があるので、それら全てについての任意の表示情報を迅速かつ解釈容易な方法でとらえることは困難である。迅速かつ容易な解釈は、専門ケア施設だけでなくパーソナルケア提供者による良質なケアの提供において最重要である。
【０００８】
また、全ての可能な背景と状況をカバーすることを目指して高まる複雑性は、より綿密で詳細な情報がユーザ、介護者、親戚若しくは医療専門家に伝えられることを要する。従って、過剰な情報がビューアへ提示され得、それによりＡＤＬの評価若しくは理解を困難な及び／又は時間のかかるものにする。
【発明の概要】
【発明が解決しようとする課題】
【０００９】
本発明は前述のニーズの一つを少なくとも部分的に満たすことを目指す。この目的で、本発明は独立項に記載の方法、コンピュータプログラム製品及びシステムを提供する。従属項は有利な実施形態を提供する。
【課題を解決するための手段】
【００１０】
従って、本発明はプロセッサデバイスを用いて表示デバイス上にＧＵＩを表示するための命令を生成するための方法及び対応するシステムを提供し、ＧＵＩは環境内の人のＡＤＬのモニタリング用であり、ＡＤＬをあらわすためのグラフィック要素を有し、グラフィック要素は少なくとも第一のグラフィック特徴により定義される。方法とシステムにおいてデータプロセッサデバイスは：ＡＤＬの属性を取得するステップ；第一のグラフィック特徴を定義するステップ；ＡＤＬの属性に基づいて第一のグラフィック特徴を設定するステップ；ＧＵＩを表示するための命令を生成するステップを実行するためである。
【００１１】
本発明は、その外観がＡＤＬの属性に基づくような方法での、検出される人のＡＤＬをあらわすグラフィック若しくは視覚要素を含むＧＵＩの表示の概念に基づく。
【００１２】
日常生活動作は、人が定期的に実行する基本動作に関する。日常生活動作の例は、飲食；調理；投薬；睡眠；トイレ；入浴；洗濯、外出又は歩行など任意の種類の運動、読書若しくはＴＶ視聴などの余暇活動及びその他多数などである。本発明は人のかかるＡＤＬを単純かつ理解しやすい方法で経時的に表示しモニタリングする方法を提供する。
【００１３】
ＡＤＬの属性は次のうち一つ以上を有し得る：ＡＤＬの日付及び／又は時間及び／又は発生回数；ＡＤＬの持続期間（インスタンスごと、若しくは累積期間）；ＡＤＬの発生頻度；ＡＤＬの前回発生からの経過時間；ＡＤＬの発生リズム；ＡＤＬの移動平均；既定パターンからのＡＤＬ発生の逸脱；ＡＤＬの値；ＡＤＬの値の変化；ＡＤＬの完了度及びＡＤＬの重要度、いずれも全て（既定）期間内にいかなる時点においても決定され得る。
【００１４】
このように、ＧＵＩは２４時間にわたるＡＤＬ分布、２４時間にわたるＡＤＬ強度の適用、タイムライン上の円形マーカ、矩形要素表示期間（睡眠など）の視覚表現を提供し得る。
【００１５】
ＡＤＬの属性の取得は、前に準備されたかかるデータをデータベースから取得することを意味し得る。代替的に、本発明においてかかる属性の取得は：
‐一つ以上の時点について検出される、人及び／又は環境の特性の一つの値若しくは複数の値を有するセンサ信号データを取得すること；並びに、
‐ＡＤＬの属性を決定すること
を有し得る。
【００１６】
オプションとして、センサ信号データの取得は：
‐一つ以上の時点について人及び／又は環境の特性の一つの値若しくは複数の値を検出すること
を有し得る。
【００１７】
本発明においてグラフィック要素の一つ以上のグラフィック特徴はＧＵＩにおいてあらわれるように定義若しくは設定され得る。グラフィック特徴の例は：形状、サイズ、位置、方向、拍動及び／又は色である。それらはＡＤＬの一つ以上の属性に基づき得る。このように、ビューアがグラフィック要素の一つ以上のグラフィック特徴からＡＤＬについての情報を迅速に容易に推論することができるような方法で、ＡＤＬの挙動が表示され得る。これはビューアが一つ以上の検出されるＡＤＬをより容易に識別し評価することを可能にし得、本明細書で以下さらにハイライトされる通り、ＧＵＩ上の複数のＡＤＬデータの空間効率のよい構成を可能にし得る。
【００１８】
本発明はこのように、検出されるＡＤＬについての情報が、関連する詳細が示される若しくは容易に識別可能になることを保証するのに役立つ方法であらわされることを可能にし得る。これは被モニタリング者が注意若しくは援助を要する場合にビューア（介護者など）が迅速に識別することを可能にし得る。本発明は一人あたり複数のＡＤＬがモニタリングされる状況においても特に有用である。かかる人が複数モニタリングされる状況ではなおさらである。これらの状況においてグラフィカルインターフェースは、特に情報がＡＤＬについてかなりの詳細を含む場合、容易に情報でいっぱいになる。これは被モニタリング者の状況の迅速かつ正確な評価を低減させ、又は阻害さえし得る。
【００１９】
ＧＵＩの表示のための命令を生成することは、表示デバイスによる使用のための制御信号を生成することを意味し得る。かかる命令はビットマップ、ＪＰＥＧ若しくは他の形式などの単純な画像の形であり得る。しかしながら、かかる命令は例えばＣＲＴ、ＬＣＤ、ＯＬＥＤ、Ｅｉｎｋなどといった標準表示デバイス上でのＧＵＩ若しくはＧＵＩのパーツのリアルタイムビルドアップを可能にする、より複雑なものであることもできる。
【００２０】
方法においてデータプロセッサデバイスは以下の追加ステップを実行する：
‐ＡＤＬの属性を第一の閾値と比較するステップ；
‐取得されたＡＤＬの属性が第一の閾値以上である場合、第一のグラフィック特徴を第一の特徴値へ設定するステップ、又は：
‐取得されたＡＤＬの属性が第一の閾値未満である場合、第一のグラフィック特徴を第一の特徴値と異なる第二の特徴値へ設定するステップ。
【００２１】
これは特定のグラフィック特徴に、所定ＡＤＬが規則的パターンから逸脱する若しくは逸脱したことを示させるように設定することを可能にする。
【００２２】
第一及び第二の値は方法により予め決定されるか若しくはユーザ定義可能であり得る。比較は一つのＡＤＬの複数の属性について、及び／又は複数の異なるＡＤＬの同じ属性についてなされ得る。比較はＧＵＩデータのタイムリーな更新の目的で連続的に若しくは周期的になされ得る。
【００２３】
追加オプションは：
データプロセッサが次の追加ステップを実行することであり得る：
‐ＡＤＬの属性を第一の閾値よりも高い第二の閾値と比較するステップと、
‐取得されたＡＤＬの属性が第二の閾値以上である場合、第一のグラフィック特徴を第一及び第二の特徴値と異なる第三の特徴値へ設定するステップ、又は、
‐取得されたＡＤＬの属性が第二の閾値未満である場合、第一のグラフィック特徴を第一の特徴値と第三の特徴値と異なる第二の特徴値へ設定するステップ。
【００２４】
これらの追加オプションは正常、注意、若しくは警告など、ＡＤＬについて複数の警告レジームの設定を可能にする。
【００２５】
方法においてデータプロセッサデバイスはステップを繰り返し実行し得る。これは属性とＧＵＩ表示の連続的な若しくは周期的な更新を可能にする。
【００２６】
方法は以下を有し得る：
‐各々が少なくとも第一のグラフィック特徴と、第一のグラフィック特徴と異なる第二のグラフィック特徴とにより定義される、複数の異なる時点におけるＡＤＬをあらわすための複数のグラフィック要素を有するＧＵＩ；
‐ＡＤＬの属性を取得するステップが複数の異なる時点の各々についてＡＤＬの属性を取得するステップを有し得る；
‐第一のグラフィック特徴を設定するステップが、各設定が異なる時点の異なる一つに対応するＡＤＬの属性に基づくように、複数のグラフィック要素についてこの特徴を設定するステップを有する；
‐データプロセッサデバイスが以下の追加ステップを実行する：
‐第二のグラフィック特徴を定義するステップ；
‐グラフィック要素の各特定の一つについて、かかる設定が、その特定要素の第一のグラフィック特徴の設定が基づいたＡＤＬの属性に対応する時点に基づくように、複数のグラフィック要素について第二のグラフィック特徴を設定するステップ。
【００２７】
ＡＤＬの時間依存情報が今や使用可能である。これは例えば現在のＡＤＬ状態と所定期間にわたる履歴ＡＤＬ状態との容易な比較を可能にする。
【００２８】
前段落の方法は以下を有し得る：
‐第二のグラフィック特徴がグラフィック要素の寸法を有する；
‐複数のグラフィック要素が、現在時刻に最も近い時点に対応するＡＤＬの属性をあらわす主グラフィック要素を有する；
‐第二のグラフィック特徴を設定するステップが：
‐主グラフィック要素の寸法を、複数の要素の他のグラフィック要素について設定される任意の寸法よりも大きくなるように設定するステップ
を有する。
【００２９】
これはＡＤＬについての時間依存データを示すための一つの有利なオプションである。今やＡＤＬの属性は時間依存性と異なる特徴で示される。
【００３０】
方法において各グラフィック要素は第三のグラフィック特徴により定義され得、
‐複数のグラフィック要素が、現在時刻に最も近い時点に対応するＡＤＬの属性をあらわす主グラフィック要素を有し、
‐データプロセッサデバイスが以下のステップを実行し得る：
‐ＧＵＩにおける位置になるように第三のグラフィック特徴を定義するステップ；
‐少なくとも主グラフィック要素を除く複数のグラフィック要素の位置を、それらがあらわすＡＤＬの属性の現在時刻に対する時間の増加若しくは減少の順にグラフィック要素のアレイにＧＵＩにおいてそれらが配列されるように設定するステップ。グラフィック要素の空間分布は（履歴）ＡＤＬデータの明確さと概観を提供するのにさらに役立ち得る。
【００３１】
方法は、処理デバイスが、
‐アレイにおけるグラフィック要素の寸法を相互に等しくなるように、又は時間が減少する順に増加するように設定するステップ
を実行することを有し得る。これはＧＵＩにおけるデータの明確さと概観をさらに提供するためである。
【００３２】
方法は、処理デバイスが、
‐線形アレイになるようにアレイを定義するステップと、
‐アレイを行型に方向付け、主グラフィック要素の隣、及びそれより上若しくは下のいずれかにアレイを位置付けるステップ、又は、
‐アレイを列型に方向付け、主グラフィック要素の隣、及びその左側若しくは右側のいずれかにアレイを位置付けるステップ
を実行することを有し得る。なおさらにいっそうの明確さと概観がＡＤＬデータ表示に提供される。
【００３３】
方法は以下を有し得る：
‐複数のグラフィック要素が、現在時刻に最も近い時点に対応するＡＤＬの属性をあらわす主グラフィック要素を有する；
‐ＡＤＬの属性が期間にわたる属性の平均若しくは累積値を有する；
‐データプロセッサデバイスが以下の追加ステップを実行する：
‐主グラフィック特徴によりあらわされるＡＤＬの属性を英数字値としても提供するステップ。今や最新のＡＤＬモニタリングについての詳細情報も提供される。
【００３４】
方法は以下を有し得る：
‐ＧＵＩが人の複数のＡＤＬのモニタリング用である；
‐データプロセッサデバイスが以下のステップを実行する：
‐人の複数のＡＤＬの属性を取得するステップ；
‐複数のＡＤＬの各一つについて、その一つのＡＤＬをあらわす一つ以上のグラフィック要素をＡＤＬ  ＧＵＩエリア（１７０  １７０Ａ  １７０Ｂ）内に位置するように配置するステップ；
‐異なるＡＤＬ  ＧＵＩエリアを、それらが少なくとも部分的に重ならないようにＧＵＩエリア内に位置付けるステップ。
【００３５】
前段落の方法は、異なるＡＤＬ  ＧＵＩエリアを位置付けるステップが、行若しくは列方向のいずれかでＧＵＩ内に異なるＡＤＬ  ＧＵＩエリアを位置付けるステップを有することを有し得る。ＧＵＩ内の限られたエリアへのＡＤＬデータの制限は、一人の異なるＡＤＬについて、及び／又は異なる人のＡＤＬについて、ＧＵＩ画面において複数のＡＤＬデータの表示を可能にする。これは複数人のケアを担う介護施設の概観にとって良いＧＵＩ画面を提供する。
【００３６】
方法は、データプロセッサデバイスが以下のステップを実行することを有し得る：
‐人を識別するための、及びＡＤＬのグラフィック要素によりあらわされるＡＤＬに対応する識別データを取得するステップ；
‐識別データをＧＵＩに追加して、ＡＤＬのグラフィック要素が属する人をユーザが識別することを可能にするステップ。
人の識別は例えば警告の場合の直接通信のために、又は所定の人のところへ行くように介護者に指示するために最重要である。
【００３７】
方法は表示デバイスを用いてＧＵＩを表示するステップを有し得、
‐方法は前の方法クレームのいずれかの方法を有し；
‐表示デバイスは、生成されたＧＵＩを表示するための命令を用いてＧＵＩを表示するステップを実行する。
【００３８】
方法は、データプロセッサが、
‐複数の人のＡＤＬデータを有する第一のＧＵＩ画面から、複数の人の特定の一人のＡＤＬデータを示すＧＵＩ画面へスイッチする、又は追加ＧＵＩウィンドウにおいて複数の人の特定の一人のＡＤＬデータを示す、入力デバイス信号の形のユーザ入力を取得するステップ
を実行することを有し得る。ポインタで、任意の種類の入力デバイスを用いて操作されて、及び特定の人の複数のＡＤＬデータ若しくは単一のＡＤＬデータに割り当てられるＧＵＩ画面の部分をクリックすること若しくはその上に重ねることで、ＧＵＩ画面がその人のより詳細なＡＤＬ情報とともに便利に提示され得る。
【００３９】
本発明は、通信ネットワークからダウンロード可能な、並びに／或いはコンピュータ可読媒体及び／又はマイクロプロセッサ実行可能媒体上に保存される、コンピュータプログラム製品を提供し、コンピュータプログラム製品は、コンピュータ上で実行されるとき、方法クレーム１から１４のいずれか一項に記載の方法を実施するコンピュータプログラムコード命令を有する。
【００４０】
本発明はさらにデータ処理デバイスとコンピュータプログラム製品を有するシステムを提供する。
【００４１】
独立項は方法及びシステムクレームについて類似した有利な特徴を定義する。本明細書の上記及び下記の方法について説明される利点は対応するシステムにも当てはまる。
【００４２】
システムは、
‐データプロセッサデバイスを有し、生成されたＧＵＩの表示のための命令をクライアントデバイス若しくは通信ネットワークへ送信するように構成される、サーバデバイス
を有し得る。この構成において全表示命令はサーバにより利用可能にされる。ユーザはＧＵＩと連携するようにサーバとリンクし得る。
【００４３】
システムは、
‐データプロセッサデバイスを有するサーバデバイスと、
‐表示デバイスを有するクライアントデバイスと
を有し、
‐サーバデバイスは生成されたＧＵＩの表示のための命令をリモートクライアントデバイスへ送信するように構成され；
‐リモートクライアントデバイスは生成されたＧＵＩの表示のための命令を受信し、命令を用いてＧＵＩを表示するように構成される。
【００４４】
システムは、データプロセッサデバイスと表示デバイスを有するクライアントデバイスを有し得る。これはＡＤＬデータを受信する、又はさらにプロセッサがそのために構成される場合は生のセンサデータを取り扱うように構成される、スタンドアロンデバイスになり得る。
【００４５】
データ処理デバイスは表示デバイスから遠隔に位置してもよく、制御信号は従って通信リンクを介して表示デバイスへ通信され得る。かかる通信リンクは例えばインターネット及び／又は無線通信リンクを介し得る。他のリンクが本明細書で以下に記載される。このように、ユーザ（介護者など）はユーザから遠隔に位置する一人以上の人のＡＤＬについての情報を受信し表示し得る適切に配置される表示デバイスを持ち得る。実施形態は従ってユーザが、ラップトップ、タブレットコンピュータ、携帯電話、ＰＤＡなどといったポータブル表示デバイスを用いて人のＡＤＬを遠隔モニタリングすることを可能にし得る。
【００４６】
システムは：データ処理デバイスを有するサーバデバイスと、表示デバイスを有するクライアントデバイスをさらに有し得る。従って検出されたＡＤＬの属性を決定し、制御信号を生成する目的で専用データ処理手段が利用され得るので、システムの他のコンポーネント若しくはデバイスの処理要求若しくは能力を軽減する。
【００４７】
システムはクライアントデバイスをさらに有し、クライアントデバイスはデータ処理デバイスと表示デバイスを有する。言い換えれば、ユーザ（介護者など）は、検出されたＡＤＬの属性を決定し制御信号を生成するために処理された受信データを引き受ける、適切に配置されるクライアントデバイス（ラップトップ、タブレットコンピュータ、携帯電話、ＰＤＡなど）を持ち得る。
【００４８】
このように、処理能力は従って既定の制約及び／又は処理リソースの利用可能性に従って異なる方法でシステム全体に分布し得る。
【００４９】
表示命令を生成するステップはさらにグラフィック要素の表示位置に基づき得る。
【００５０】
表示命令を生成するステップは、表示デバイスから遠隔に位置するデータ処理デバイスにより実行され得る。従って、実施形態は通信リンクを介してデータ処理デバイスから表示デバイスへ表示命令を通信するステップをさらに有し得る。
【００５１】
表示命令を生成するステップはクライアントデバイスにより実行され得る。
【００５２】
環境内の人の日常生活動作、ＡＤＬをモニタリングするためのＡＤＬモニタリングシステムのためのグラフィカルインターフェースが提供され、グラフィカルインターフェースはＡＤＬモニタリングシステムにより検出されるＡＤＬをあらわすグラフィック要素を表示するように適応され、グラフィック要素の少なくとも一部の形状、サイズ、位置及び／又は色は検出されるＡＤＬの一つ以上の属性に基づく。
【００５３】
さらなる例として、ＡＤＬ'温かい食事の準備'の予想頻度は'一日一回'又は'週五回'であり得、このＡＤＬをあらわすグラフィック要素は頻度に比例するサイズで表示され得る。そして頻度の不規則性は、例えば頻度が減少したことであり得、これはグラフィカルインターフェースのビューアが、頻度が減少した日と関連するグラフィック要素のサイズの縮小を見ることにより容易に知覚可能であり得る。さらに、頻度が下限（例えば許容閾値）を下回る場合、グラフィック要素の色は不規則性を示す特定色（例えば赤）に設定され得るので、グラフィカルインターフェースのビューアにとって迅速に識別して潜在的に行動することが容易である。
【００５４】
代替的に、若しくは付加的に、グラフィック要素はそのサイズがＡＤＬの時間の近さに比例するように表示され得る。言い換えれば、現在の若しくは最近検出されたＡＤＬをあらわすグラフィック要素は、最も目立って表示されるように大きなサイズで表示され得るが、一方より以前に検出されたＡＤＬをあらわすグラフィック要素はあまり目立たずに表示されるように小さなサイズで表示され得る。従って前の週にわたって検出されたＡＤＬをあらわすグラフィック要素が表示され得、当日のグラフィック要素は最大サイズで表示され、週の残りのグラフィック要素はより小さなサイズで表示される。従って時間の近さが表示されるグラフィック要素のサイズにより示され得る。
【００５５】
ＡＤＬモニタリングシステムにより利用され得る多くのセンサが存在する。典型的なセンサはＰＩＲ（受動赤外線；動きと存在を測定）、ＯＣ（開閉；ドア、特に冷蔵庫を含む、玄関ドア、窓、及び食器棚の状態を測定）、パワーセンサ（電子レンジ、ウォータークッカー、ＴＶなどといった電化製品の電流消費を測定）、及び圧力マット（いすに座っている、ベッドに横たわっている、玄関ドアの前のドアマットの上に立っているユーザの占有状態を測定）を含む。光スイッチ状態を信号で伝えるセンサ、又は湿度、ＣＯ２レベル（若しくはＣＯ及び煙）、粒子状物質レベルなどといった環境条件を測定するセンサなど、その他多くが存在し考えられる。さらなる範囲のセンサは、加速度計、磁力計、ジャイロスコープ、及び空気圧センサなど、物理量に基づくものである。加速度計は、例えば、ドアの状態及びその開閉運動も測定し得る。さらに別の範囲のセンサはマイクロフォンとカメラから成り（スペクトルの赤外（ＩＲ）、若しくはさらにＵＶ以上の部分を含む）、ＧＰＳ及び位置感知ＩＲもこれに属する。ＲＦＩＤタグ付けを含む超音波若しくはＲＦベースセンサは追加入力を提供する。Ｉｎｔｅｒｎｅｔ‐ｏｆ‐ｔｈｉｎｇｓとして知られる、独自のＩＰアドレスを持つ電化製品は、スマートホームシステムによりとられ得る追加センサ入力信号を提供する。
【００５６】
センサは環境（例えば人の家）に取り付けられ得るが、それらはユーザユーティリティ（キーリングなど）に付着されるか、又は服の中、ポケット若しくはバッグの中に、又はインソール若しくは下着などとして入れられてもよい。それらは腕時計若しくはペンダントのように明確に装着されるように作られてもよい。さらに、センサは有線若しくは無線接続、又はその組み合わせを介してその出力信号を通信し得る。
【００５７】
センサは、例えば所要送信帯域幅及び／又は送信持続期間を削減するように、信号フィルタリング、サンプリング、コンディショニングなどといった、検出値の一次処理を引き受けるように適応されてもよい。代替的に、センサは生データを送信し得る。
【００５８】
従って、特定の周囲条件又は環境の特性／パラメータ（例えば温度若しくは湿度など）、又は人の特性（例えば動きなど）についてのデータを提供する比較的単純なセンサで、非侵入型モニタリングが実現され得る。周囲条件又は環境の特性／パラメータを測定するためのかかるセンサは単純で、小型で、及び／又は安価であり得る。また、人の動きは、例えば安価な部品である受動赤外線（ＰＩＲ）センサで検出され得る。動きセンサは照明のスイッチを入れるために使用され得、従って人は通常、その使用に慣れている。このように本発明のＡＤＬモニタリングシステムは、非侵入型で、モニタリングされる人によってより容易に受容されるとみなされるセンサを利用し得る。なお、これらセンサにより提供されるデータで、ＡＤＬが決定され得、モニタリングされている人についての情報を提供し得る。
【００５９】
例えば、浴室内の湿度センサと動きセンサで、人がシャワーを浴びていることが推論され得る。さらなる実施例において、台所内の温度センサと動きセンサで、人が温かい食事を準備していることが決定され得る。センサが例えば浴室及び台所に位置する固定センサであり得、従って人がデバイスを身につけることが不要になることがさらなる利点である。
【００６０】
実際、表示されるグラフィック要素は英数字（例えばテキストと数字）がなくてもよい。これは従ってビューアを過剰な及び／又は雑然としたテキスト及び／又はデータで圧倒することなく、検出されるＡＤＬに関する多量の情報の表示を可能にし得る。
【００６１】
本発明は従って検出されるＡＤＬの一つ以上の特定属性に基づいてＡＤＬモニタリンググラフィカルディスプレイ／インターフェースを動的に更新するために使用され得る。
【００６２】
本明細書のクレームのいずれか一項のシステムは、パーソナルコンピュータ、ラップトップコンピュータ、ノートブックコンピュータ、タブレット、携帯電話、スマートフォン、若しくは電子表示デバイスを持つ他の電子デバイスの形のクライアントデバイスである。
【００６３】
本発明は以下の図面を参照して詳細に記載される。
【図面の簡単な説明】
【００６４】
【図１】本発明にかかるＡＤＬをモニタリングするためのシステムのブロック図である。
【図２】本発明にかかるＧＵＩの表示ビュー例である。
【図３Ａ】本発明にかかるＧＵＩの別の表示ビュー例である。
【図３Ｂ】本発明にかかるＧＵＩの別の表示ビュー例である。
【図４Ａ】本発明にかかるＧＵＩの別の表示ビュー例である。
【図４Ｂ】図４Ａの表示ビューへの修正を描く。
【図４Ｃ】図４Ａの表示ビューへの別の修正を描く。
【図５】本発明にかかる環境内の人のＡＤＬをモニタリングするためのシステムのブロック図である。
【図６】本発明にかかるＧＵＩ用の表示を生成する方法のフロー図を示す。
【図７】本発明の一つ以上の部分が実行され得るコンピュータ（サーバデバイス及び／又はクライアントデバイスなど）のブロック図である。
【発明を実施するための形態】
【００６５】
本発明は環境内の人の日常生活動作、ＡＤＬのモニタリングに関する。モニタリングされ得る人は知能若しくは認知が低下した、又は身体能力が低下した人であり得る。モニタリングされる人は、例えば身体障害者、高齢者、負傷者、患者などであり得る。高齢者とは６５歳以上、７０歳以上、若しくは８０歳以上の人を意味し得る。
【００６６】
本発明は病院、病室、介護施設、人の家など、多くの異なるタイプのモニタリング環境において利用され得る。以下の記載は本発明の要素と機能、並びに本発明の要素がどのように実施され得るかの説明のための文脈を提供する。
【００６７】
一般に、人の"通常の"日常行動における変化を観察することができるためには、観察されるパターンからの逸脱を見つけるために人のＡＤＬを経時的にモニタリングし得る。特に例外若しくは不規則性は多くのケア状況において関心対象となり得る。例外若しくは不規則性のタイプは場合により異なり得る。例外の大きなクラスは人のＡＤＬルーチンにおける逸脱に関する。例えば、平均以上の夜間のトイレ訪問回数。例えば人の転倒など、より重大なインシデントが別のクラスを形成する。
【００６８】
例として、ＡＤＬは以下を含み得る：
（ｉ）投薬
ａ．高齢者が適切な方法で適切なときに薬を服用しているか？
ｂ．高齢者が正しい／処方された薬を服用しているか？
（ｉｉ）睡眠
ａ．高齢者が十分にかつ邪魔されずに眠っているか？
（ｉｉｉ）飲食
ａ．高齢者が十分にかつ定期的に食べて及び／又は飲んでいるか？
ｂ．彼が一人で食事の支度をするか？
（ｉｖ）身体活動
ａ．高齢者が日中活動的であるか？
ｂ．座りがちな行動がほとんどないか？
（ｖ）トイレ
ａ．高齢者が普通にトイレに行っているか？
ｂ．夜間に頻繁にトイレに行くか？
（ｖｉ）入浴
ａ．高齢者が適切に入浴しているか？
（ｖｉｉ）家の中／外にいること
ａ．高齢者が外出しているか？
（ｘｉｉｉ）周囲の気候
ａ．環境は"清潔"か？
ｂ．例えば温度は適切か、ＣＯ２レベルは健康的か、粒子（ＰＭ）レベルは健康的か？
（ｉｘ）その他
【００６９】
上記ＡＤＬ例に基づいて、例外、不規則性若しくは警報／警告の以下の例が関連し得る：
Ａ．活動のサイン、又は不活動のサイン
Ｂ．危険とみなされる部屋にいること（例えば高齢者が認知症を患っているときに台所に独りでいる）
Ｃ．夜間など、予想外のときに家を出ること
Ｄ．普通と異なる頻度若しくは普通と異なる時間のトイレ訪問
Ｅ．普通と異なる入浴時間
Ｆ．短い睡眠
Ｇ．活動低下
Ｈ．その他
【００７０】
本発明は従って検出される人のＡＤＬについての情報が表示されモニタリングされることを可能にすることへ向けられる。さらに本発明は、介護者が迅速に、増大した効率性及び／又は信頼性で被モニタリング者の日常行動における例外を観察することを促進されるように、十分な詳細を提供しながら、又は十分な詳細へのさらに容易なアクセスを提供しながら、単純で正確な構成でＡＤＬ情報を表示するものである。表示される情報は、例えば人が助けを必要としていることを識別する若しくは示すために使用され得る。一人あたり複数のＡＤＬ、及び複数の人に対するかかる情報の表示を明確な外観で可能にすることも本発明のさらなる目的である。
【００７１】
本発明では以下の用語と定義が使用される。
【００７２】
グラフィカルユーザインターフェース（ＧＵＩ）はｓｅｃｏｎｄａｒｙ  ｎｏｔａｔｉｏｎなどのグラフィックアイコン及び視覚インジケータを通じてユーザが電子デバイスとインタラクションすることを可能にするタイプのインターフェースである。
【００７３】
表示デバイスは表示制御デバイスにより制御され得る電子表示デバイスである。表示制御デバイスはプロセッサデバイスの一部であるか、若しくはプロセッサデバイスと一緒に作動し得る。
【００７４】
ＧＵＩを表示するための命令の生成は、当技術分野で既知の通常方法を用いて表示デバイス上に表示されるＧＵＩビューの画像（ビットマップ、ＪＰＥＧ、Ｔｉｆｆなど）を作成することを有し得る（又はそれほど単純であり得る）。代替的に、かかる命令の生成はＧＵＩビューのリアルタイムビルドアップのためのより専用の命令を有し得る。命令は表示制御信号の形をとり得る。
【００７５】
本発明はＧＵＩの一つ以上のグラフィック要素の表示を定義若しくは制御するために検出されるＡＤＬの属性についての情報を使用することが有利であるという洞察に少なくとも部分的に基づく。特にグラフィック要素の一つ以上のグラフィック特徴はＡＤＬの属性に従い得る。言い換えれば、検出されるＡＤＬの属性はグラフィック特徴の変更によりグラフィック要素の外観を変えるために使用され得る。
【００７６】
グラフィック特徴は例えば次のグループから選ばれ得る：ＧＵＩエリアにおけるグラフィック要素の空間的場所／位置（若しくは複数のグラフィック要素がある場合は相対的相互場所／位置）、方向、サイズ（高さ幅長さ及び／又は面積などの寸法）、形状（輪郭形状）、塗りつぶし（ハッチング、シェーディングなど）、色、コントラスト、色相、表示頻度（連続若しくは指定頻度での点滅）。記載若しくは請求項に他に明記しない限り、第一のグラフィック特徴と第二のグラフィック特徴若しくは他のグラフィック特徴が上記グループから独立して選ばれ得る。好適には、第二のグラフィック特徴はグラフィック要素の面積である。好適には、第一のグラフィック特徴はエリアの色若しくは輪郭形状である。好適にはグラフィック要素は角丸の矩形、円形若しくは楕円形など、角丸形状を持ち得る。これは特に複数のＡＤＬエリアがＧＵＩビューに存在するときにＧＵＩの外観を与える。従って、第一のグラフィック特徴が色である場合、第一、第二及び第三の既定値は異なる色である。
【００７７】
本発明はこのように、ディスプレイのグラフィック要素の外観が、ＡＤＬモニタリングシステムにより推論若しくは検出されるＡＤＬの属性に基づいて決定され得るという概念を利用し得る。かかるグラフィック要素のビューアは従って、例えばいかなるテキスト、数字、若しくは英数字がないときでも、グラフィック要素の外観から情報を推論し得る。例として、グラフィック要素グラフィック特徴の目視比較は検出されるＡＤＬの一つ以上の属性について相対的情報を提供若しくは示唆し得るので、ビューアによる検出されるＡＤＬについての情報の単純で迅速な推論を可能にし得る。例えば所定色のグラフィック要素は例外若しくは不規則性を示す検出されるＡＤＬを識別し得、従って多数のグラフィック要素を有するディスプレイ間で迅速に容易に識別され得る。また、大きなグラフィック要素は現在の（例えばリアルタイム）ＡＤＬ若しくは現在時刻に対して最も近い時間の履歴ＡＤＬに関連し得るが、一方より小さいグラフィック要素はより古い（例えば過去の）ＡＤＬに関連し得る。このように、最新若しくは最近の情報がより目立つ方法で表示され得る一方、より古い情報は視覚的混乱を軽減するようにあまり目立たずに表示される。
【００７８】
グラフィック要素の外観はＡＤＬの一つ以上の属性を示すために多くの方法で適応され得る。例として、以下の外観特徴（グラフィック特徴）がそれぞれ詳述の通り様々なＡＤＬ属性を示し得る：
形状：１）通常状況、２）不規則状況、３）遷移状況、４）緊急対応状況、１から２は正方形、円形、三角形などといった異なる形状に関する；
サイズ：１）時間距離、２）現在の日付、３）イベントの持続期間、４）複合時間イベント；
拍動：１）点滅、２）二つのレベル間の点滅、３）輝度を徐々に上げてから再度同じレベルまで下げる拍動；
色：１）通常、２）通知、３）警告、１から２は１：青、２：黄、３：赤など、異なる色を示す；
方向：１）水平、２）９０度回転、３）１８０度回転。
【００７９】
ＧＵＩで使用されるグラフィック特徴は予め定義され得るか若しくはユーザ定義され得る。後者の目的のため、本発明はユーザがユーザ入力デバイスを用いてグラフィック特徴定義入力を提供することを可能にされるステップを利用し得る。
【００８０】
本発明において、ユーザ入力デバイスは次のうち一つ以上であり得る：キーボード、マウス若しくは他のスクリーンポインタデバイス、タッチセンサ表示画面、音声認識デバイス若しくは当技術分野で既知の任意の他の手段。
【００８１】
ＡＤＬイベントはセンサ出力信号から検出若しくは推論され得、かかるＡＤＬ検出若しくは推論のためのシステム及び方法が既に存在する。従って、提案される概念は既存のＡＤＬ検出若しくはモニタリングシステム／方法と併用され得る。例えば、Ｄｒｉｅｓ  Ｖｅｒｍｅｉｒｅｎらは"Ｄｅｔｅｃｔｉｎｇ  Ｈｕｍａｎ  Ｍｏｔｉｏｎ：Ｉｎｔｒｏｄｕｃｉｎｇ  Ｓｔｅｐ，Ｆａｌｌ  ａｎｄ  ＡＤＬ  ａｌｇｏｒｉｔｈｍｓ"と題する論文において患者のＡＤＬを検出する二つの三軸加速度計に基づくシステムを記載する。また、Ｈ  Ｐｉｒｓｉａｖａｓらは"Ｄｅｔｅｃｔｉｎｇ  ａｃｔｉｖｉｔｉｅｓ  ｏｆ  ｄａｉｌｙ  ｌｉｖｉｎｇ  ｉｎ  ｆｉｒｓｔ‐ｐｅｒｓｏｎ  ｃａｍｅｒａ  ｖｉｅｗｓ"（ＣＶＰＲ，２０１２）と題する論文において一人称カメラビューにおいてＡＤＬを検出するためのアルゴリズムを記載する。多くのかかるＡＤＬ検出若しくはモニタリング方法／システムが周知であるため、これらの任意の一つ以上が採用され得、かかる方法／システムの詳細な説明はこの記載から省略される。
【００８２】
ＡＤＬは次のうち一つ以上であり得る：食事、飲水、睡眠、トイレ、投薬、入浴、洗濯、運動、及びリラックス。他のＡＤＬももちろんモニタリングされ得るが、指定グループは被モニタリング者の健康な暮らしをモニタリングするために重要なものである。
【００８３】
属性は本明細書で前に定義された通りであり得る。これらは全て（既定）期間にわたって推論され得る、すなわちかかる期間内の平均若しくは累積数として決定され得る。かかる期間は１２時間、２４時間、５自然日若しくは７自然日、１週間、複数週、１ヶ月若しくは１年でさえあり得る。好適には既定期間は２４時間、１週間若しくは１ヶ月である。期間の各々はそれに付随して、属性が決定されたときに関連するタイムスタンプを持ち得る。タイムスタンプは規則的時間測定単位及び／又は日、月若しくは年の日付であり得る。
【００８４】
図１のシステムにおいて複数のセンサ１０，２０，３０，４０は、人と、人が存在し動作を実行する環境の少なくとも一方の特性を測定するように構成される。
【００８５】
この実施例において、第一のセンサ１０は例えば温度若しくは湿度などの環境の周囲条件パラメータの値を検出するように適応されるセンサである。第二のセンサ２０はモニタリングされる人の動きを検出するように適応される動きセンサ２０である。第三のセンサ３０は環境内の人により使用される電化製品の電力消費の値を検出するように適応される電力センサ３０である。第四のセンサ４０は例えば冷蔵庫、収納食器棚、若しくは調理器具などのドア若しくはデバイスの開閉を検出するように適応される開／閉センサ４０である。第一のセンサ１０、第二のセンサ２０、第三のセンサ３０、及び第四のセンサ４０は、それぞれ測定される特性の検出値をあらわす第一のセンサ出力信号１００、第二のセンサ出力信号２００、第三のセンサ出力信号３００、及び第四のセンサ出力信号を出力するように適応される。もちろん、環境及び／又は人の動き／動作を示す信号を提供するように多くの他の特性のためのより多くのセンサが利用され得る。
【００８６】
センサの一部は環境内で事前に設置され得る。それらは壁上、各デバイス内などで固定位置を持ち得る。他のセンサは、例えば人に装着若しくは携行される必要がある場合、モバイルのままにされ得る。センサは電子若しくはスマートウォッチ、携帯電話、コンピュータ、タブレットなどといった既存通信デバイスの一部であり得る。
【００８７】
センサ１０，２０，３０，４０は有線若しくは無線接続を介してその出力信号１００，２００，３００，４００をデータプロセッサデバイス１４０へ通信するように構成される。一例として、無線接続は短距離〜中距離通信リンクを有し得る。誤解を避けるため、短距離〜中距離通信リンクとは最大約１００メートルの距離を持つ短距離若しくは中距離通信リンクを意味するととられるべきである。非常に短い通信距離用に設計される短距離通信リンクにおいて、信号は典型的には数センチメートルから数メートルを移動するが、一方短距離から中距離の通信距離用に設計される中距離通信リンクにおいて、信号は典型的には最大１００メートルを移動する。短距離無線通信リンクの例はＡＮＴ＋、Ｂｌｕｅｔｏｏｔｈ（登録商標）、Ｂｌｕｅｔｏｏｔｈ  ｌｏｗ  ｅｎｅｒｇｙ（登録商標）、ＩＥＥＥ  ８０２．１５．４、ＩＳＡ  １００ａ、赤外線（ＩｒＤＡ）、近距離無線通信（ＮＦＣ）、ＲＦＩＤ、６ＬｏＷＰＡＮ、ＵＷＢ、Ｗｉｒｅｌｅｓｓ  ＨＡＲＴ、Ｗｉｒｅｌｅｓｓ  ＨＤ、Ｗｉｒｅｌｅｓｓ  ＵＳＢ、Ｚｉｇｂｅｅ（登録商標）である。中距離通信リンクの例はＷｉ‐Ｆｉ（登録商標）、ＩＳＭ  Ｂａｎｄ、Ｚ‐Ｗａｖｅ（登録商標）を含む。
【００８８】
ここで、出力信号は安全な方法での有線若しくは無線接続を介した通信のために暗号化されない。しかしながら、被モニタリング者の個人データを保護するためにシステムにおける信号の通信のために一つ以上の暗号化技術及び／又は一つ以上の安全通信リンクが利用され得ることが理解される。
【００８９】
データプロセッサデバイス１４０は第一〜第四のセンサ出力信号１００〜４００を受信し、受信されるセンサ出力信号に基づいて人のＡＤＬを推論若しくは検出し、ＡＤＬの少なくとも一つの属性を決定するように適応されるＡＤＬ推論ユニット１１０をさらに有する。この目的で、ＡＤＬ推論ユニット１１０は一つ以上のデータ処理リソースと通信し得る。この場合かかるリソースはいわゆる"クラウド"５０を形成するインターネットにおいて利用可能なものである。かかるデータ処理リソースは受信センサ出力信号に基づいて人のＡＤＬを推論若しくは検出するために必要な処理の一部若しくは全部を引き受け得る。このように、実施形態はクラウド５０、ＡＤＬ推論ユニット及び／又はクライアントデバイスにわたるデータプロセッサデバイスの分散を用いる分散処理原理を利用し得る。
【００９０】
ＡＤＬ推論ユニット１１０を用いるデータプロセッサデバイス１４０はさらにＡＤＬの属性をあらわすＡＤＬ出力信号１１５に適する。言い換えれば、受信センサ出力信号に基づいて人のＡＤＬを推論若しくは検出した後（インターネット若しくは"クラウド"を介したデータ処理リソースとの通信を伴って若しくは伴わずに）、人のＡＤＬをあらわすＡＤＬ出力信号１１５が生成される。
【００９１】
データプロセッサデバイスは、一人以上のユーザへＡＤＬ情報を提供するための表示デバイス１６０上へのグラフィカルユーザインターフェース（ＧＵＩ）の表示のための命令１３０を（場合により表示制御信号の形で）生成するために出力信号１１５を使用するように構成される部分１２０をさらに有する。信号１１５及び／又は１３０は有線若しくは無線接続を介して送信され得る。無線接続はセンサ信号１００〜４００の送信についての上記実施例に従って選ばれ得る。しかしながら、システムが接続１５０を通じてインターネット若しくはクラウド５０を介してデータ処理リソースを利用していた場合、出力信号１５５はインターネット若しくはクラウド５０を介して表示デバイス１６０に利用可能にされ得る。その場合データプロセッサ部１２０は事実上クラウド５０に組み込まれ、命令１３０は命令１５５と同様になり得る。
【００９２】
図２は図１の表示デバイス１６０上に表示されるＧＵＩ１８０のビュー例である。ＧＵＩエリア１７０はＧＵＩエリア１７０にグラフィック要素を表示するように適応される。ＧＵＩは表示デバイス上に少なくとも部分的に表示されるので、ＧＵＩエリアは事実上表示エリアでもある。この実施例では、第一〜第三のグラフィック要素２１０〜２３０がＧＵＩエリア１７０に表示される。
【００９３】
第一のグラフィック要素２１０は第二のグラフィック要素２２０と第三のグラフィック要素２３０があらわすＡＤＬの説明を提供するテキストを有する。この実施例において、テキストは"トイレ訪問"であり、従って第二のグラフィック要素２２０と第三のグラフィック要素２３０は被モニタリング者がとっていると検出されているトイレ訪問回数に関する。
【００９４】
第二のグラフィック要素２２０はトイレをあらわすシンボルを含む（比較的）大きな円を有する。円は被モニタリング者が既定タイムフレームの現在経過部分中にとっていると検出されているトイレ訪問の累積数を示す数"１１ｘ"も含む。タイムフレームはこの場合２４時間であるが、日、夜若しくは週、月などであり得る。従って、ＡＤＬの一属性はトイレ訪問回数である。ＡＤＬの別の属性は被モニタリング者が前にトイレを訪問してから経過した時間の量である。この属性はこの場合トイレ訪問回数の下に英数字表現"００ｈ３４"として示される。
【００９５】
第三のグラフィック要素２３０は六個の円の形の複数のサブグラフィック要素２３０Ａ〜２３０Ｆを有し、第二のグラフィック要素２２０の下に位置する。グラフィック要素２３０Ａ〜２３０Ｆの各々は、グラフィック要素２２０の回の前に経過した既定期間中に（例えば前の２４時間、日、夜、週若しくは月）被モニタリング者がとっていると検出されているトイレ訪問の回数をあらわす。複数のグラフィック要素２３０のサイズは要素２３０Ａから２３０Ｆへ向かって縮小することが見られる。これはＡＤＬの属性の古いものほどサイズが小さくなるように、グラフィック特徴サイズが経過既定期間のタイムスタンプに依存するようになっている、又はそれに基づくためである。かかる時間のランキングは代替的に数字を用いてなされることもできる。その場合グラフィック要素２３０における円のサイズは等しく維持され得る。しかしながらこれはＧＵＩエリア１７０内のＡＤＬ表現の明確さを大幅に減じる若しくは乱雑にする傾向がある。
【００９６】
このように、第二のグラフィック要素２２０と第三のグラフィック要素２３０は、そのサイズがＡＤＬ（トイレ訪問）の時間における近さ／近接性をあらわすように表示される。言い換えれば、当日をあらわす第二のグラフィック要素２２０は最も目立って表示されるように大きなサイズで表示されるが、一方前の（例えば古い）日をあらわす第三のグラフィック要素２３０はあまり目立たずに表示されるように小さいサイズで表示される。従って週にわたって検出されるトイレ訪問をあらわすグラフィック要素が表示され、第二のグラフィック要素２２０（当日のトイレ訪問をあらわす）は最大サイズで表示され、第三のグラフィック要素２３０（週の前六日のトイレ訪問をあらわす）はより小さいサイズで表示される。
【００９７】
上記の通り、現在の実施例において、グラフィック要素２２０及び２３０の第二のグラフィック特徴はそのサイズであり、この実施例ではＡＤＬの属性のタイムスタンプをあらわすように選ばれる。グラフィック要素のサイズとは異なる第一のグラフィック特徴はその色であるように選ばれる。このように、第二及び第三のグラフィック要素はその色がＡＤＬ（トイレ訪問）の発生回数であるＡＤＬの属性をあらわすように表示される。言い換えれば、第二のグラフィック要素２２０と第三のグラフィック要素２３０はその各期間についてＡＤＬの検出回数に依存する色で表示される。より具体的に、この場合トイレ訪問回数が所定既定閾値を上回る場合、色は黄色になり、一方その閾値を下回るＡＤＬの属性は色として青を呼び出すことが規定される。さらに、ＡＤＬの属性が、第一の閾値よりも高い第二の閾値よりも高い場合、要素の色は赤に設定される。色は異なる警告状態を示す：青（正常）、黄（注意）、赤（警告）。閾値の数はより少なくても多くてもよく、他の価値判断との併用に従って定義され得る。従ってこの実施例では、第三のグラフィック要素２３０の各円が、その関連する／各既定期間中に被モニタリング者がとっていると検出されたトイレ訪問の累積数を示す特定色（Ｆは黄、Ａ及び２２０の円は赤、残りは青）を有することが観察される。
【００９８】
トイレ訪問の累積数と比例して増大する色の暗さが色の代わりに使用されていてもよい。シェーディングも使用されていてもよい。
【００９９】
各グラフィック要素が他のグラフィック要素よりも明るい若しくは暗い若しくは異なる色になり、従ってユーザの視覚においてより目立つので、色から、トイレ訪問回数が異常に高い若しくは低い期間（この場合日）が迅速に容易に識別され得る。従って週にわたって検出されるトイレ訪問をあらわすグラフィック要素が表示され、（各日のトイレ訪問をあらわす）グラフィック要素は数値若しくは範囲を示す色で表示される。従って数値若しくは範囲は表示されるグラフィック要素の色により示される。
【０１００】
要素２２０はトイレをあらわすグラフィックアイコン識別子を有する。これは迅速な評価のために有益であるが、必要ではない。これが存在する場合、要素２１０は問題になっているＡＤＬの直接認識の能力を妨げることなく省略され得る。特に複数のＡＤＬがＧＵＩの一つのビューに示される必要があるとき、これはデータの散乱を最小化しながら表示される数を最大化するために有利であり得る。
【０１０１】
このように、第二のグラフィック要素２２０が、日曜日である当日に関する場合、第三のグラフィック要素２３０の六個の円はそれぞれ土曜日、金曜日、木曜日、水曜日、火曜日、及び月曜日の前の個々の日に関する。従って図２の表示されるグラフィック要素は当日及び前の六日間にわたる被モニタリング者のトイレ訪問のＡＤＬの履歴に関する情報を表示する。
【０１０２】
異なる期間データのスクロールが図３及び４に記載のビューについてなされ実施され得る。
【０１０３】
グラフィック要素はＧＵＩエリア１７０において互いに近くに置かれる若しくは位置する。この場合、要素２１０、２２０及び２３０は並べられるが、小さい方の要素２３０は行に配列される（図２では水平）。これは人のＡＤＬについての履歴情報と比較して詳細な現在情報の両方を有するコンパクトエリア１７０を与える。要素２３０の行は要素２２０若しくは２１０より上に位置することもできる。代替的に、行２３０は、データの小さく簡潔な表現を損なうことなく、要素２２０の両側に垂直に列として配列され得る。
【０１０４】
このように構成されるエリア１７０は複数の類似ＡＤＬエリア１７０を別のＧＵＩビュー上に行で配列するために適する。類似して、複数のＡＤＬが列に配列される必要がある場合、エリアは要素２２０の両側に水平行に要素２３０を配列することにより埋められ得る。従ってエリアは幅よりも小さい高さを持ち得る。利点は本明細書で以下に記載される。
【０１０５】
この実施例において要素は円形状を持つ。矩形正方形などの他の形状も有効であり得る。しかしながら、円形は以下でもさらに説明される理由のため好適であり得る。形状は好適には円、楕円若しくは角丸矩形及び三角形のように角丸であり得る。代替的に形状は矩形、正方形、三角形、台形、ひし形などを有し得る。
【０１０６】
好適には時間において二つの連続するグラフィック要素について、及び最も好適には複数のグラフィック要素の全部について、複数のグラフィック要素が一つの連続グラフィック要素を形成するように接続され得る。例えば、連続グラフィック要素は高さ及び／又は幅及び／又は色を徐々に変えるバーであり得る。代替的にこれは任意の形のｐｙｃｈａｒｔタイプ要素であり得る。好適には、明確性の増大を考慮して、少なくとも二つ、ただし好適には複数のグラフィック要素の全部が、単一の個別グラフィック要素を形成するように相互から分離される。
【０１０７】
上記のグラフィック要素セットアップで、ビューアは一つの特定時刻におけるＡＤＬの詳細情報だけでなく、（限られた）期間内のＡＤＬの履歴も受け取る。特に、プリセット値の平均パターンからのＡＤＬ逸脱の履歴が色でのハイライトを通じて見え続ける。さらに、全円が限られたエリアに位置するので、要素のセットはより大きなエリアを検索若しくはスキャンする必要なく一目でＡＤＬに関する状況の迅速な評価を可能にする。さらに、かかる情報の表示は一つのＧＵＩ表示において一人あたりのＡＤＬの、及びかかる複数の人の効率的なグループ化も可能にする。従って、ビューアは画面において一目で複数の被モニタリング者に対して一人の一つ以上のＡＤＬに関する状況認識を持ち得る。これは以下でもさらに記載される。
【０１０８】
図３Ａは図１のディスプレイ１６０により提供されるＧＵＩエリア２７０の別のビュー例である。ここで、ＧＵＩエリア２７０は、エリア１７０Ａの各々が同一であり、図２に描かれる表示エリア１７０と同様に構成される、複数のＧＵＩエリア１７０Ａを有する。図２における要素２１０はデータ散乱を軽減するためにエリア１７０Ａから省略されている。
【０１０９】
各エリア１７０Ａは各ＡＤＬに関連し、例えば図２に定義の通り第一のグラフィック要素２４０と第二のグラフィック要素２５０を有する。従ってＧＵＩエリア１７０と関連する全情報表現の利点が図示のＡＤＬの各々について存在する。
【０１１０】
ＧＵＩエリア１７０Ａは行で表示され、各行は特定の被モニタリング者と関連する。各行は、各々がＧＵＩエリア２６０において識別される被モニタリング者に対する各ＡＤＬをあらわすグラフィック要素を有する、複数のサブ表示エリア１７０Ａを有する。従って、一人あたりこの場合七個のＡＤＬがＧＵＩビューにおいて同時に示され得る。従って例えば一週間の期間にわたる複数のＡＤＬに関する情報が被モニタリング者と関連する行に表示される。被モニタリング者のＡＤＬの行型のグループ化の場合、前述の通り要素２２０より下若しくは上の水平に（行方向に）のびた円のラインとして、又は要素２２０の左若しくは右側の円の垂直スタックとして、要素２３０を持つことが表示エリアの使用の観点で有利である。代替的に、人のＡＤＬは列で表示され得る。これは上記と同じエリア１７０レイアウトを用いてなされ得るが、要素２２０の両側に、水平方向に沿ってのびた要素２３０を持つことが有利であり得る。そのようにエリアの高さはより小さくなり、より多くのＡＤＬが行に配列されることを可能にする。
【０１１１】
図３ＡのＧＵＩ構成において、一人あたりＡＤＬの複数のかかる行（若しくは列）の提供は従って、期間にわたって複数のＡＤＬに関する情報が複数の被モニタリング者に対して表示されることを可能にする。図３ＡのＧＵＩビューはそのＡＤＬ挙動をモニタリングするために直接適したクライアントリストとみなされ得る。
【０１１２】
従ってかかるＧＵＩビューのビューアは、いかなるテキスト、数字、若しくは英数字がない場合でも（各サブ表示エリア１７０Ａの第二のグラフィック要素２５０の場合のように）、グラフィック要素の外観から情報を推論し得る。例えば、グラフィック要素の色の目視比較は一人以上の被モニタリング者に対して検出されるＡＤＬの一つ以上の属性についての相対情報を提供若しくは示唆し得るので、ビューアによる検出されるＡＤＬについての情報の単純で迅速な推論を可能にする。
【０１１３】
所定色のグラフィック要素は、例えば、例外若しくは不規則性を示す検出されるＡＤＬを識別し得、従って比較的多数の表示されるグラフィック要素間で迅速に容易に識別され得る。また、大きなグラフィック要素はより最近若しくは現在の（例えばリアルタイムの）ＡＤＬに関連し、一方より小さいグラフィック要素はより古い（例えば過去の）ＡＤＬに関連する。このように、図３Ａのビューにおける視覚的乱雑さを軽減するよう、最新若しくは最近の情報がより目立つ方法で表示され、一方より古い情報はあまり目立たずに表示される。
【０１１４】
図３ＡのＧＵＩビューにおいて、モニタリングされるＡＤＬの優先順位づけがなされ得る。例えば、所定ＡＤＬについて一週間の間に平均若しくはパターンからの逸脱が検出されなかった場合、そのＡＤＬはリスト（一人の行若しくは列）に示されない。このように、図２のＡＤＬに関して、全要素２２０及び２３０の色が青（通常）であるとき、そのＡＤＬは示されない。これはこのように所定の通常挙動から逸脱するＡＤＬのみが示されるので、データの散乱を軽減する。図３Ａにおいてエリア１７０Ａ'は空であることが見られ、モニタリングされる一つのＡＤＬがＡＤＬエリアによりあらわされる総期間にわたって一見逸脱しなかったという事実を説明する。二行目では二つのかかるＡＤＬが逸脱しておらず、従って示されない。
【０１１５】
さらに、ＧＵＩは介護者が最短で緊急の場合に気付くことを可能にするためにＡＤＬ挙動に従って人の順番を変更するステップを含み得る。このように、この場合、任意の特定色での一人あたりのＡＤＬの数が比較され、最高数を伴う人が図３のビューにおけるリストのトップに置かれることを決定するために使用され得る。ＡＤＬの重要性のランキング（例えば食事／飲水はシャワーよりも重要である）も使用され得る。他の制約と比較が人若しくはＡＤＬの表示順を変更するために使用され得る。
【０１１６】
図３Ｂは図１のＧＵＩ１８０により提供される表示エリア２７２の別のビュー例である。上記の通り、表示エリア２７２は表示エリア２７２にグラフィック要素を表示するように適応される。ここで、表示エリア２７２は複数のＧＵＩエリア１７０Ｂを有し、各サブＧＵＩエリア１７０Ｂは図２に描かれる表示エリア１７０と同様である。
【０１１７】
より具体的に、各サブＧＵＩエリア１７０Ｂは被モニタリング者についての各ＡＤＬに関し、第一のグラフィック要素２４０及び第二のグラフィック要素２５０より上に位置するＡＤＬの記述２１０を有する。グラフィック要素は図２に関して記載したものと同様である。従って、第一のグラフィック要素２４０は関連ＡＤＬをあらわすシンボルとＡＤＬの属性の英数字表現を含む（比較的）大きな円を有する。第二のグラフィック要素２５０は第一のグラフィック要素２４０より下に位置し、各々が六個の前の期間（例えば週の前日）のＡＤＬの属性をあらわす、六個の円を有する。第二のグラフィック要素の各円はその関連する／各タイムフレームにおける属性を示す特定色を有する。
【０１１８】
図２に描かれる実施例と同様に、第一のグラフィック２４０と第二のグラフィック要素２５０は、それらのサイズがＡＤＬの時間における近さ／近接性をあらわすように表示される。従って、当日をあらわす第一のグラフィック要素２４０はサブ表示エリア１７０Ａにおいて最も目立って表示されるように大きなサイズで表示され、一方前の（例えば古い）日をあらわす第二のグラフィック要素２５０はあまり目立たずに表示されるように小さいサイズで表示される。
【０１１９】
従って一週間にわたる各ＡＤＬをあらわすグラフィック要素が各サブＧＵＩエリア１７０Ｂにより表示される。また、各サブＧＵＩエリア１７０Ｂのグラフィック要素は、その色が関連ＡＤＬの属性をあらわすように表示される。言い換えれば、各サブ表示エリア１７０の第一のグラフィック要素２４０と第二のグラフィック要素２５０がその各期間に対するＡＤＬの属性に依存する色で表示される。このように、各グラフィック要素は他のグラフィック要素と色が異なり、従ってユーザの視覚においてより目立つので、属性が異常値を持つ日が迅速に容易に識別され得る。
【０１２０】
被モニタリング者に対してＧＵＩエリア１７０Ｂは二行で表示される。従って例えば一週間の期間にわたる被モニタリング者に対する複数のＡＤＬに関する情報が表示される。複数のＧＵＩエリア１７０Ｂの提供は従ってある期間にわたる複数のＡＤＬに関する情報が単一の被モニタリング者について表示されることを可能にする。
【０１２１】
従ってかかるグラフィック要素のビューアは、いかなるテキスト、数字、若しくは英数字がない場合であっても（各サブＧＵＩエリア１７０Ｂの第二のグラフィック要素２５０の場合と同様に）、グラフィック要素の外観から情報を推論し得る。例えば、グラフィック要素の色の目視比較は、一人以上の被モニタリング者について検出されるＡＤＬの一つ以上の属性についての相対情報を提供若しくは示唆し得るので、ビューアによる検出されるＡＤＬについての情報の単純で迅速な推論を可能にする。
【０１２２】
図３Ｂの表示エリア２７２に表示される通り、表示されるグラフィック要素をスクロールするためのスクロールハンドル２７３がある。このように、ビューアは異なる被モニタリング者のＡＤＬをスクロールし得る。例えば、例えば一週間の期間にわたって被モニタリング者について複数のＡＤＬが図３Ｂに図示の通り表示される場合、スクロールハンドル２７３のいずれかをアクティブにする（例えばクリック若しくは選択する）ことは、複数のＡＤＬが異なる期間（例えば前の若しくは次の日、週、月など）にわたってナビゲートされるように表示されるグラフィック要素を変更させ得る。ＧＵＩ１６０は従ってユーザがＡＤＬをナビゲートすることを可能にする。
【０１２３】
スクロールハンドル２７３はユーザが異なる期間にわたってＡＤＬ情報をスクロールすることを可能にすると説明されているが、代替的な構成は異なる被モニタリング者（例えばシステムのユーザにより観察対象に割り当てられる人）についてのＡＤＬ情報がナビゲート（例えばスクロール）されることを可能にし得る。
【０１２４】
ＧＵＩ１８０は図３Ｂに描かれる表示エリア２７２が図３Ａに描かれる表示エリア２７０におけるリンク若しくはアイコン２６０をクリックすることによりアクセスされるように適応され得ることも留意される。このように、図３Ｂに描かれる表示エリア２７２は、被モニタリング者のＡＤＬについての情報をより詳細に表示するサブ画面（若しくは低レベル表示）であると理解され得る。従って、ユーザが、図３ａの表示エリア２７０を見るとき、グラフィック要素の一番上の行と関連する人についてより詳細を見たい場合、例えば、図３Ａにおいてリンク／アイコン２６０を選択若しくはクリックすることで図３Ｂの表示エリア２７２が表示されることになり得る。従って情報は階層的に配列され表示され得、階層のレベルが階層内の隣接表示を介してアクセス／ビューされ得る。
【０１２５】
図４Ａは一実施形態にかかる図１のＧＵＩ１８０により提供される表示エリア１７０の別のビュー例である。上記の通り、表示エリア１７０は表示エリア１７０においてグラフィック要素を表示するように適応される。ここで、第一〜第四のグラフィック要素２８０〜２９５が表示エリアに表示される。
【０１２６】
第一のグラフィック要素２８０は（ナイフとフォークの）シンボルとＡＤＬの記述を提供するテキストを含む（比較的）大きな円を有する。この実施例において、第一のグラフィック要素２８０は被モニタリング者がとっていると検出されている飲食インスタンスに関する。従って、円はＡＤＬの記述と、被モニタリング者が現在のタイムフレーム中に（例えば当日若しくは今日）とっていると検出されている飲食インスタンスの累積数を示す数を含む。これは被モニタリング者が以前に食べてから若しくは飲んでから経過した時間の英数字表現も含む。
【０１２７】
第一のグラフィック要素２８０は飲食インスタンスの発生のタイミング及び持続期間の表現を有することも留意される。各インスタンスは円の周縁エッジまわりに広がるセグメントとして描かれ、その位置がインスタンスのタイミングをあらわし、その長さ／サイズがインスタンスの持続期間をあらわす。
【０１２８】
好適には、これは１２時間の代わりに２４時間にわたるタイミングである。そのように全昼夜サイクル中にインスタンスの重なりが起こらず、これはビューアにとって状況認識を著しく改善する。また、図示されないが、夜間、昼間若しくは両方をあらわす円のセグメントに沿って適用されるシェーディングがあり得る。シェーディングはＡＤＬインスタンスと重なり得る。かかるシェーディングの始まりと終わりは冬時間若しくは夏時間の共通の夜若しくは昼の定義に従ってプリセット若しくは事前にプログラムされ得るが、好適にはかかる始まり及び終わりに対するプリセット値を用いて被モニタリング者ごとにユーザ定義可能である。これは異なる被モニタリング者間でＡＤＬ挙動（例えば睡眠挙動）の変動性に対応し得る。かかるシェーディングの存在はＡＤＬが発生したときについての即座の印象を与える。これは例えば睡眠挙動の評価にとって重要であり得る。
【０１２９】
第二のグラフィック要素２８５は第一のグラフィック要素２８０より下に位置し、各々が、被モニタリング者が前の期間（例えば週の前日）中にとっていると検出されている飲食インスタンスの数をあらわす、六個の円を有する。第二のグラフィック要素２８５の各円は、被モニタリング者がその関連する／各タイムフレーム中にとっていると検出された飲食インスタンスの累積数を示す特定色を有する。
【０１３０】
従って、第一のグラフィック要素２８０が日曜日である当日に関連する場合、第二のグラフィック要素２８５の六個の円がそれぞれ土曜日、金曜日、木曜日、水曜日、火曜日及び月曜日という前の個々の日に関連する。従って表示される図４の第一のグラフィック要素２８０と第二のグラフィック要素２８５は当日及び前の六日間にわたる飲食の被モニタリング者のＡＤＬに関する情報を表示することが理解される。
【０１３１】
また、第一のグラフィック要素２８０と第二のグラフィック要素２８５は、そのサイズがＡＤＬ（飲食）の時間における近さ／近接性をあらわすように表示される。言い換えれば、当日をあらわす第一のグラフィック要素２８０は最も目立って表示されるように大きなサイズで表示され、前の（例えば古い）日をあらわす第二のグラフィック要素２８５はあまり目立たずに表示されるように小さいサイズで表示される。従ってその週にわたって検出される飲食をあらわすグラフィック要素が表示され、第一のグラフィック要素２８０（当日の飲食インスタンスをあらわす）は最大サイズで表示され、第二のグラフィック要素２８５（週の前六日間の飲食インスタンスをあらわす）はより小さいサイズで表示される。従って時間の近さが第一のグラフィック要素２８０と第二のグラフィック要素２８５のサイズにより示される。
【０１３２】
第三のグラフィック要素２９０と第四のグラフィック要素２９５は第一のグラフィック要素２８０の右手に位置し、各々がそれぞれ円を有する。第三のグラフィック要素２９０は現在の期間の夜間に被モニタリング者がとっていると検出されている飲食インスタンスの数をあらわす。第四のグラフィック要素２９５は現在の期間の昼間に被モニタリング者がとっていると検出されている飲食インスタンスの数をあらわす。
【０１３３】
第三のグラフィック要素２９０と第四のグラフィック要素２９５の各円はＡＤＬのシンボル化された記述と、被モニタリング者が関連期間中にとっていると検出されている飲食インスタンスの累積数を示す数を含む。これは関連期間中に被モニタリング者が以前に食べてから若しくは飲んでから経過した時間の英数字表現も含む。さらに、各円は被モニタリング者がその関連する／各タイムフレーム中にとっていると検出された飲食インスタンスの累積数を示す特定色を有する。
【０１３４】
この実施例において、グラフィック要素の表示色は飲食インスタンスの累積数に基づく。このように、各グラフィック要素は他のグラフィック要素と異なる色であり、従ってユーザの視覚においてより目立つので、飲食インスタンスの数が異常に高い若しくは低い期間（例えば日）が迅速に容易に識別され得る。
【０１３５】
従って週にわたって検出される飲食インスタンスをあらわすグラフィック要素が表示され、（各期間の飲食インスタンスをあらわす）グラフィック要素は数値若しくは範囲を示す色で表示される。従って数値若しくは範囲は表示されるグラフィック要素の色により示される。
【０１３６】
図３Ｂの表示エリア２７２に表示される通り、表示されるグラフィック要素をスクロールするためのスクロールハンドル２７３がある。このように、ビューアは異なる被モニタリング者のＡＤＬをスクロールし得る。例えば、例えば一週間の期間にわたる被モニタリング者の複数のＡＤＬが図３Ｂに図示の通り表示される場合、スクロールハンドル２７３のいずれかをアクティブにする（例えばクリック若しくは選択する）ことは、異なる期間（例えば前の若しくは次の日、週、月など）について複数のＡＤＬがナビゲートされるように表示されるグラフィック要素を変更させ得る。ＧＵＩ１８０は従ってユーザがＡＤＬ情報をナビゲートすることを可能にする。
【０１３７】
スクロールハンドル２７３が、ユーザが異なる期間についてＡＤＬ情報をスクロールすることを可能にすることが説明されているが、代替的な構成は異なる被モニタリング者（例えばシステムのユーザにより観察対象に割り当てられる人）のＡＤＬ情報がナビゲート（例えばスクロール）されることを可能にし得る。
【０１３８】
図４Ｂは一実施形態にかかる図１のＧＵＩ１８０により提供される表示エリア１７０の別のビュー例である。特に、図４Ｂは図４Ａの表示エリアへの修正を示す。
【０１３９】
図４Ａと同様に、図４Ｂの表示エリア１７０は表示エリア１７０において第一〜第四のグラフィック要素２８０〜２９５を表示するように適応される。これら第一〜第四のグラフィック要素２８０〜２９５は図４Ａについて上記したものと基本的に同じである。従って、不要な繰り返しを避けるため、第一〜第四のグラフィック要素２８０〜２９５の説明は省略される。
【０１４０】
第一〜第四のグラフィック要素２８０〜２９５を表示することに加えて、図４Ｂの表示エリア１７０は第五のグラフィック要素２９７を表示するように適応される。
【０１４１】
第五のグラフィック要素２９７は表示エリアの下に沿って（表示エリア１７０の幅のおよそ８０‐９０％に及ぶ程度まで）広がる水平にのびる矩形を有する。第五のグラフィック要素２９７はタイムラインをあらわし、その上でＡＤＬの発生が各円２９７Ｂにより識別される。第五のグラフィック要素２９７内の円２９７Ｂの相対位置は各ＡＤＬが起きた時間を示す。
【０１４２】
第五のグラフィック要素は従ってタイムラインの表現を提供するとみなされ得、タイムラインに沿ったシンボルの提供は（例えば第一のグラフィック要素２８０によりあらわされる）ＡＤＬの発生と同期される。
【０１４３】
この実施例において、グラフィック要素の表示色はトイレ訪問インスタンスの累積数に基づく。このように、各グラフィック要素は他のグラフィック要素と異なる色であり、従ってユーザの視覚においてより目立つので、トイレ訪問インスタンスの数が異常に高い若しくは低い期間（例えば日）が迅速に容易に識別され得る。
【０１４４】
従って一週間にわたって検出されるトイレ訪問インスタンスをあらわすグラフィック要素が表示され、（各期間のトイレ訪問インスタンスをあらわす）グラフィック要素が数値若しくは範囲を示す色で表示される。数値若しくは範囲は従って表示されるグラフィック要素の色により示される。複数のインスタンスの相対的近接性が迅速に容易に解釈され得るように、一日にわたって検出されるトイレ訪問インスタンスのタイムライン表現も提供される。
【０１４５】
図４Ｃは一実施形態にかかる図１のＧＵＩ１８０により提供される表示エリア１７０のなお別のビュー例である。特に、図４Ｃは図４Ａの表示エリアへの修正を示す。
【０１４６】
図４Ａと同様に、図４Ｃの表示エリア１７０は表示エリア１７０において第一〜第四のグラフィック要素２８０〜２９５を表示するように適応される。これら第一〜第四のグラフィック要素２８０〜２９５は図４Ａについて上記したものと基本的に同じである。従って、不要な繰り返しを避けるため、第一〜第四のグラフィック要素２８０〜２９５の説明は省略される。
【０１４７】
第一〜第四のグラフィック要素２８０〜２９５を表示することに加えて、図４Ｂの表示エリア１７０は第一のグラフィック要素２８０の周縁エッジまわりに第五のグラフィック要素２９８を表示するように適応される。
【０１４８】
第五のグラフィック要素２９８は径方向に第一のグラフィック要素２８０の周縁エッジから外側へのびる棒状要素を有する。第五のグラフィック要素２９８は周縁タイムラインをあらわし、その上でＡＤＬの発生が各棒状要素２９８により識別される。第一のグラフィック要素２８０のエッジまわりの棒状要素の相対位置は各ＡＤＬが発生した時間を示す。さらに、棒状要素の長さ（若しくは大きさ）はＡＤＬの値を示す。この場合、ＡＤＬは"身体運動"であり、棒状要素の長さ（若しくは大きさ）は身体運動の検出強度を示す。
【０１４９】
第五のグラフィック要素は従って円形タイムラインの表現を提供するとみなされ得、タイムラインに沿った棒状要素の提供は（例えば第一のグラフィック要素２８０によりあらわされる）ＡＤＬの発生と同期される。
【０１５０】
この実施例において、グラフィック要素の表示色は身体活動インスタンスの累積数に基づく。従って、各グラフィック要素は他のグラフィック要素と異なる色であり、従ってユーザの視覚においてより目立つので、身体活動インスタンスの数が異常に高い若しくは低い期間（例えば日）が迅速に容易に識別され得る。
【０１５１】
このように、図４Ｃの実施例では、週にわたって検出される身体運動インスタンスをあらわすグラフィック要素が従って表示され、（各期間の身体運動インスタンスをあらわす）グラフィック要素は数値若しくは範囲を示す色で表示される。身体活動ゼロの期間及び／又は低／高身体活動の期間が迅速に容易に識別され得るように、一日にわたって検出される身体活動インスタンス（及びその検出強度）の円形タイムライン表現も提供される。
【０１５２】
次に図５を参照すると、人、及び人がいる環境の少なくとも一方の特性を測定するように構成される検出システム５１０を有する本発明にかかるＡＤＬモニタリングシステムの別の実施形態が描かれる。
【０１５３】
ここで、検出システム５１０は、環境の周囲条件パラメータ；モニタリングされる人の動き；及び環境内の人により使用される電化製品の電力消費の少なくとも一つの一つ以上の値を検出するように適応される複数のセンサを有する。検出システム５１０は検出値をあらわす一つ以上の信号を出力するように適応される。
【０１５４】
検出システム５１０は遠隔に位置するデータ処理システム５３０（サーバなど）へインターネット５２０を介して（例えば有線若しくは無線接続を用いて）出力信号を通信する。
【０１５５】
データ処理システム５３０は検出システム５１０から一つ以上の出力信号を受信し、被モニタリング者の一つ以上のＡＤＬを推論／検出するためにＡＤＬ推論／検出アルゴリズムに従って受信信号を処理するように適応される。データ処理システム５３０はさらに人の推論若しくは検出されるＡＤＬをあらわすＡＤＬ出力信号を生成するように適応される。このように、データ処理５３０は検出システムから情報を受信し、受信情報を検出若しくは推論されるＡＤＬのセットへ変換する一つ以上のアルゴリズムを実行し得る中央アクセス可能な処理リソースを提供する。検出若しくは推論されるＡＤＬのセットに関する情報はデータ処理システムにより（例えばＡＤＬデータベースにおいて）保存され、ＡＤＬモニタリングシステムの他のコンポーネントへ提供され得る。検出若しくは推論されるＡＤＬについての情報のかかる提供は（例えばインターネット５２０を介した）リクエストの受信に応じてなされ得る、及び／又はリクエストなしになされ得る（すなわち'プッシュされる'）。
【０１５６】
検出若しくは推論されるＡＤＬについての情報をデータ処理システムから受信する目的で、及び従ってＡＤＬがモニタリングされることを可能にするために、システムはさらに第一及び第二のモバイルコンピューティングデバイス５４０，５５０を有する。
【０１５７】
ここで、第一のモバイルコンピューティングデバイス５４０は提案される概念の実施形態に従ってグラフィック要素を表示するためのディスプレイを伴う携帯電話デバイス（スマートフォンなど）である。第二のモバイルコンピューティングデバイス５５０は提案される概念の実施形態に従ってグラフィック要素を表示するためのディスプレイを伴うラップトップ若しくはタブレットコンピュータなどのモバイルコンピュータである。
【０１５８】
データ処理システム５３０はインターネット５２０を介して（例えば有線若しくは無線接続を用いて）第一及び第二のモバイルコンピューティングデバイス５４０，５５０へＡＤＬ出力信号を通信するように適応される。上述の通り、これは第一若しくは第二のモバイルコンピューティングデバイス５４０，５５０からのリクエストの受信に応じてなされ得る。
【０１５９】
受信されるＡＤＬ出力信号に基づいて、第一及び第二のモバイルコンピューティングデバイス５４０，５５０はその各ディスプレイにより提供される表示エリアにおいて一つ以上のグラフィック要素を表示するように適応される。この目的で、第一及び第二のモバイルコンピューティングデバイス５４０，５５０は各々、グラフィック要素の表示の仕方を決定するために受信されるＡＤＬ出力信号を処理、解読、及び／又は解釈するためのソフトウェアアプリケーションを有する。このように、第一及び第二のモバイルコンピューティングデバイス５４０，５５０は各々、検出されるＡＤＬの属性を決定し、検出されたＡＤＬの決定された属性に基づいてグラフィック要素のサイズ、形状、位置、方向、拍動若しくは色の少なくとも一つを修正するための表示制御信号を生成するように適応される処理構成を有する。
【０１６０】
システムは従って、第一及び第二のモバイルコンピューティングデバイス５４０，５５０のユーザへ推論若しくは検出されるＡＤＬについての情報を通信し得る。例えば、第一及び第二のモバイルコンピューティングデバイス５４０，５５０の各々は医師、介護者、家族若しくは近親者へグラフィック要素を表示するために使用され得る。
【０１６１】
図５のシステムの実施例は次の間で異なり得る：（ｉ）例えば従来の画像若しくはウェブページ表示を用いてモバイルコンピューティングデバイスのユーザへ単純に表示される（ウェブベースブラウザなどであり得る）グラフィック要素（例えばＪＰＥＧ若しくは他の画像形式）を含む表示データを有し得る、表示可能なＡＤＬデータをデータ処理システム５３０が通信する状況；（ｉｉ）データ処理システム５３０が生のデータセット情報を通信し、それを、受信するモバイルコンピューティングデバイスがその後ＡＤＬデータへ変換し、ＡＤＬ表示の一つ以上の属性を決定するように処理し、そして（例えばモバイルコンピューティングデバイス上で実行するローカルソフトウェアを用いて）決定される一つ以上の属性に基づいてグラフィック要素を表示する状況。もちろん、他の実施例では、データ処理システム５３０において生成されるＡＤＬデータの一部がモバイルコンピューティングデバイスのローカル専用ソフトウェアによるさらなる処理のためにモバイルコンピューティングデバイスへ送信されるように、データ処理システム５３０と受信するモバイルコンピューティングデバイスとの間で処理が共有され得る。従って実施形態はサーバ側処理、クライアント側処理、若しくはその任意の組み合わせを採用し得る。
【０１６２】
さらに、データ処理システム５３０がＡＤＬ情報（例えばＡＤＬ出力信号）を'プッシュ'するのではなく、リクエストの受信に応じてＡＤＬ情報を通信する場合、かかるリクエストをするデバイスのユーザは、ＡＤＬ情報が通信されるためにその身元及び／又はセキュリティ証明書を確認若しくは認証することを要求され得る。
【０１６３】
次に図６を参照すると、ＡＤＬモニタリングシステム表示デバイスを制御する方法６００のフロー図が示され、ＡＤＬモニタリングシステム表示デバイスはＡＤＬモニタリングシステムにより検出されるＡＤＬをあらわすグラフィック要素に適した表示エリアを有する。
【０１６４】
方法は検出されるＡＤＬの属性が決定されるステップ６１０で開始する。
【０１６５】
そして、ステップ６２０において、グラフィック要素のサイズ、形状、位置、方向、拍動若しくは色の少なくとも一つを修正するための制御信号が、検出されたＡＤＬの決定された属性に基づいて生成される。ここで、制御信号を生成するステップ６０２は、検出されたＡＤＬの決定された属性を第一の閾値と比較し、決定された属性が第一の閾値を超える場合にグラフィック要素の色を第一の既定値へ修正するように制御信号を生成するステップと、検出されたＡＤＬの決定された属性を第二の閾値と比較し、決定された属性が第二の閾値を下回る場合にグラフィック要素の色を第二の既定値へ修正するように制御信号を生成するステップの少なくとも一つを有する。
【０１６６】
このように、一例として、ＡＤＬモニタリングシステム表示デバイスを制御する方法６００はディスプレイ上のグラフィック要素の表示を制御するためにポータブルコンピューティングデバイス（図５に図示のスマートフォン若しくはポータブルコンピュータなど）において実施され得る。
【０１６７】
図７は一実施形態の一つ以上の部分が利用され得るコンピュータ８００の一実施例を図示する。システム若しくはシステムの一部がかかるコンピュータであり得る。上述の様々な操作はコンピュータ８００の能力を利用し得る。例えば、ＡＤＬモニタリングシステム（若しくはその表示デバイス）の一つ以上の部分が本明細書で論じられる任意の素子、モジュール、アプリケーション、及び／又はコンポーネントに組み込まれ得る。
【０１６８】
コンピュータ８００は、限定されないが、パーソナルコンピュータ、ワークステーション、ラップトップ、ノートブック、タブレット、携帯電話、スマートフォン、ＰＤＡ、ｐａｌｍデバイス、サーバ、ストレージなどを含む。一般に、ハードウェアアーキテクチャに関して、コンピュータ８００はローカルインターフェース（不図示）を介して通信可能に結合される一つ以上のプロセッサ８１０、メモリ８２０、及び一つ以上のＩ／Ｏデバイス８７０を含み得る。ローカルインターフェースは、例えば限定されないが、当技術分野で周知の通り一つ以上のバス又は他の有線若しくは無線接続であり得る。ローカルインターフェースはコントローラ、バッファ（キャッシュ）、ドライバ、リピータ、及びレシーバなど、通信を可能にする追加素子を持ち得る。さらに、ローカルインターフェースは上述のコンポーネント間の適切な通信を可能にするアドレス、コントロール、及び／又はデータ接続を含み得る。
【０１６９】
プロセッサ８１０はメモリ８２０に保存され得るソフトウェアを実行するためのハードウェアデバイスである。プロセッサ８１０は事実上、コンピュータ８００と関連する複数のプロセッサの中で、任意の特注若しくは市販のプロセッサ、中央処理ユニット（ＣＰＵ）、デジタル信号プロセッサ（ＤＳＰ）、又は補助プロセッサであり得、プロセッサ８１０は半導体ベースマイクロプロセッサ（マイクロチップの形）若しくはマイクロプロセッサであり得る。
【０１７０】
メモリ８２０は、揮発性メモリ素子（例えばダイナミックランダムアクセスメモリ（ＤＲＡＭ）、スタティックランダムアクセスメモリ（ＳＲＡＭ）などのランダムアクセスメモリ（ＲＡＭ））と不揮発性メモリ素子（例えばＲＯＭ、消去可能プログラマブルリードオンリーメモリ（ＥＰＲＯＭ）、電気的消去可能プログラマブルリードオンリーメモリ（ＥＥＰＲＯＭ）、プログラマブルリードオンリーメモリ（ＰＲＯＭ）、テープ、コンパクトディスクリードオンリーメモリ（ＣＤ‐ＲＯＭ）、ディスク、ディスケット、カートリッジ、カセット若しくは同様のものなど）のいずれか一つ若しくは組み合わせを含み得る。さらに、メモリ８２０は電子、磁気、光学、及び／又は他のタイプの記憶媒体を組み込み得る。メモリ８２０は、様々なコンポーネントが互いに遠隔にあるがプロセッサ８１０によりアクセスされ得る、分散アーキテクチャを持ち得ることが留意される。
【０１７１】
メモリ８２０内のソフトウェアは一つ以上の個別プログラムを含み、その各々が論理機能を実装するための実行可能命令の順序付リストを有する。メモリ８２０内のソフトウェアは実施形態例に従って適切なオペレーティングシステム（Ｏ／Ｓ）８５０、コンパイラ８４０、ソースコード８３０、及び一つ以上のアプリケーション８６０を含む。図示の通り、アプリケーション８６０は実施形態例の特徴と操作を実装するための複数の機能コンポーネントを有する。コンピュータ８００のアプリケーション８６０は実施形態例に従って様々なアプリケーション、計算ユニット、論理、機能ユニット、処理、演算、仮想エンティティ、及び／又はモジュールをあらわし得るが、アプリケーション８６０は限定であることを意図されない。
【０１７２】
オペレーティングシステム８５０は他のコンピュータプログラムの実行を制御し、スケジューリング、入出力制御、ファイル及びデータ管理、メモリ管理、及び通信制御と関連サービスを提供する。実施形態例を実装するためのアプリケーション８６０は全ての市販オペレーティングシステムに適用可能であり得ることが本発明者らにより考慮される。
【０１７３】
アプリケーション８６０は実行される命令のセットを有するソースプログラム、実行可能プログラム（オブジェクトコード）、スクリプト、若しくは任意の他のエンティティであり得る。ソースプログラムであるとき、プログラムは通常、Ｏ／Ｓ８５０と関連して適切に動作するよう、メモリ８２０内に含まれても含まれなくてもよいコンパイラ（コンパイラ８４０など）、アセンブラ、インタープリタ、若しくは同様のものを介して変換される。さらに、アプリケーション８６０は、データのクラス及びメソッドを持つオブジェクト指向プログラミング言語、或いは、ルーチン、サブルーチン、及び／又は関数を持つ手続き指向プログラミング言語、例えば限定されないが、Ｃ，Ｃ＋＋，Ｃ＃，Ｐａｓｃａｌ，ＢＡＳＩＣ，ＡＰＩ  ｃａｌｌｓ，ＨＴＭＬ，ＸＨＴＭＬ，ＸＭＬ，ＡＳＰ  ｓｃｒｉｐｔｓ，ＪａｖａＳｃｒｉｐｔ，ＦＯＲＴＲＡＮ，ＣＯＢＯＬ，Ｐｅｒｌ，Ｊａｖａ，ＡＤＡ，．ＮＥＴなどとして書かれ得る。
【０１７４】
Ｉ／Ｏデバイス８７０は、例えば限定されないが、マウス、キーボード、スキャナ、マイクロフォン、カメラなどといった入力デバイスを含み得る。さらに、Ｉ／Ｏデバイス８７０は、例えば限定されないが、プリンタ、ディスプレイなどの出力デバイスも含み得る。最後に、Ｉ／Ｏデバイス８７０は、例えば限定されないが、ＮＩＣ若しくは変調／復調器（リモートデバイス、他のファイル、デバイス、システム、若しくはネットワークにアクセスするため）、無線周波数（ＲＦ）若しくは他のトランシーバ、電話インターフェース、ブリッジ、ルータなど、入力と出力両方を通信するデバイスをさらに含み得る。Ｉ／Ｏデバイス８７０はインターネット若しくはイントラネットなどの様々なネットワークを介して通信するためのコンポーネントも含む。
【０１７５】
コンピュータ８００がＰＣ、ワークステーション、インテリジェントデバイスなどである場合、メモリ８２０内のソフトウェアは基本入出力システム（ＢＩＯＳ）（簡略化のため除外）をさらに含み得る。ＢＩＯＳはスタートアップにおいてハードウェアを初期化及びテストし、Ｏ／Ｓ８５０を開始し、ハードウェアデバイス間のデータ伝送をサポートする必須ソフトウェアルーチンのセットである。コンピュータ８００が起動されるときにＢＩＯＳが実行され得るように、ＢＩＯＳはＲＯＭ，ＰＲＯＭ，ＥＰＲＯＭ，ＥＥＰＲＯＭ若しくは同様のものなど、何らかのタイプのリードオンリーメモリに保存される。
【０１７６】
コンピュータ８００が動作中のとき、プロセッサ８１０はメモリ８２０内に保存されるソフトウェアを実行し、データをメモリ８２０へ、及びメモリ８２０から通信し、ソフトウェアに従ってコンピュータ８００の操作を一般に制御するように構成される。アプリケーション８６０とＯ／Ｓ８５０は、全部又は一部において、プロセッサ８１０によって読まれ、おそらくプロセッサ８１０内でバッファされ、それから実行される。
【０１７７】
アプリケーション８６０がソフトウェアにおいて実装されるとき、アプリケーション８６０は事実上、任意のコンピュータ関連システム若しくは方法による又はそれに関連する使用のために任意のコンピュータ可読媒体上に保存され得ることが留意されるべきである。この文書の文脈において、コンピュータ可読媒体は、コンピュータ関連システム若しくは方法による又はそれに関連する使用のためのコンピュータプログラムを包含若しくは保存し得る、電子、磁気、光学、若しくは他の物理的デバイス若しくは手段であり得る。
【０１７８】
アプリケーション８６０は、命令実行システム、装置、若しくはデバイスから命令をフェッチして命令を実行し得る、コンピュータベースシステム、プロセッサ含有システム、若しくは他のシステムなど、命令実行システム、装置、若しくはデバイスによる又はそれに関する使用のための任意のコンピュータ可読媒体で具体化され得る。この文書の文脈において、"コンピュータ可読媒体"は、命令実行システム、装置、若しくはデバイスによる又はそれに関する使用のためのプログラムを保存、通信、伝搬、若しくは輸送し得る任意の手段であり得る。コンピュータ可読媒体は、例えば限定されないが、電子、磁気、光学、電磁、赤外線、若しくは半導体システム、装置、デバイス、若しくは伝搬媒体であり得る。
【０１７９】
本発明はシステム、方法、及び／又はコンピュータプログラム製品であり得る。コンピュータプログラム製品は、プロセッサに本発明の態様を実行させるためのコンピュータ可読プログラム命令をその上に備えるコンピュータ可読記憶媒体（若しくはメディア）を含み得る。
【０１８０】
コンピュータ可読記憶媒体は命令実行デバイスによる使用のための命令を保有及び保存し得る有形デバイスであり得る。コンピュータ可読記憶媒体は、例えば限定されないが、電子記憶デバイス、磁気記憶デバイス、光学記憶デバイス、電磁記憶デバイス、半導体記憶デバイス、若しくは前述の任意の適切な組み合わせであり得る。コンピュータ可読記憶媒体のより具体的な実施例の包括的でないリストは以下を含む：ポータブルコンピュータディスケット、ハードディスク、ランダムアクセスメモリ（ＲＡＭ）、リードオンリーメモリ（ＲＯＭ）、消去可能プログラマブルリードオンリーメモリ（ＥＰＲＯＭ若しくはフラッシュメモリ）、スタティックランダムアクセスメモリ（ＳＲＡＭ）、ポータブルコンパクトディスクリードオンリーメモリ（ＣＤ‐ＲＯＭ）、デジタル多用途ディスク（ＤＶＤ）、メモリスティック、フロッピーディスク、パンチカード若しくはその上に命令を記録した溝の隆起構造などといった機械的にエンコードされたデバイス、及び前述の任意の適切な組み合わせ。コンピュータ可読記憶媒体は、本明細書で使用される通り、電波若しくは他の自由伝播電磁波、導波路を通じて伝播する電磁波、若しくは他の伝送媒体（例えば光ファイバケーブルを通過する光パルス）、若しくは配線を通じて送信される電気信号など、それ自体が一時的信号であると解釈されないものとする。
【０１８１】
本明細書に記載のコンピュータ可読プログラム命令は、ネットワーク、例えばインターネット、ローカルエリアネットワーク、ワイドエリアネットワーク及び／又は無線ネットワークを介して、コンピュータ可読記憶媒体から各計算／処理デバイスへ、又は外部コンピュータ若しくは外部記憶デバイスへダウンロードされ得る。ネットワークは銅伝送ケーブル、光伝送ファイバ、無線伝送、ルータ、ファイヤーウォール、スイッチ、ゲートウェイコンピュータ及び／又はエッジサーバを有し得る。各計算／処理デバイスにおけるネットワークアダプタカード若しくはネットワークインターフェースはネットワークからコンピュータ可読プログラム命令を受信し、各計算／処理デバイス内のコンピュータ可読記憶媒体での保存のためにコンピュータ可読プログラム命令を転送する。
【０１８２】
本発明の操作を実行するためのコンピュータ可読プログラム命令は、アセンブラ命令、インストラクションセットアーキテクチャ（ＩＳＡ）命令、機械命令、機械依存命令、マイクロコード、ファームウェア命令、状態設定データ、又は一つ以上のプログラミング言語の任意の組み合わせで書かれるソースコード若しくはオブジェクトコード（Ｓｍａｌｌｔａｌｋ、Ｃ＋＋などといったオブジェクト指向プログラミング言語、及びＣプログラミング言語若しくは同様のプログラミング言語など従来の手続き指向プログラミング言語を含む）であり得る。コンピュータ可読プログラム命令は完全にユーザのコンピュータ上で、一部ユーザのコンピュータ上で、スタンドアロンソフトウェアパッケージとして、一部ユーザのコンピュータ上で一部リモートコンピュータ上で、又は完全にリモートコンピュータ若しくはサーバ上で、実行し得る。後者のシナリオにおいて、リモートコンピュータはローカルエリアネットワーク（ＬＡＮ）若しくはワイドエリアネットワーク（ＷＡＮ）を含む任意のタイプのネットワークを通じてユーザのコンピュータに接続され得るか、或いは（例えばインターネットサービスプロバイダを使用してインターネットを通じて）外部コンピュータへ接続され得る。一部の実施形態において、例えばプログラマブル論理回路、フィールドプログラマブルゲートアレイ（ＦＰＧＡ）、若しくはプログラマブル論理アレイ（ＰＬＡ）を含む電子回路が、本発明の態様を実行するために電子回路をパーソナライズするようコンピュータ可読プログラム命令の状態情報を利用することによりコンピュータ可読プログラム命令を実行し得る。
【０１８３】
本発明の態様は、本発明の実施形態にかかる方法、装置（システム）、及びコンピュータプログラム製品のフローチャート図及び／又はブロック図を参照して本明細書で記載される。フローチャート図及び／又はブロック図の各ブロック、並びにフローチャート図及び／又はブロック図におけるブロックの組み合わせが、コンピュータ可読プログラム命令により実装され得ることが理解される。
【０１８４】
これらのコンピュータ可読プログラム命令は、コンピュータのプロセッサ若しくは他のプログラマブルデータ処理装置を介して実行する命令が、フローチャート及び／又はブロック図の一つ若しくは複数のブロックで規定される機能／動作を実装するための手段を作成するように、機械を製造するために汎用コンピュータ、専用コンピュータ、若しくは他のプログラマブルデータ処理装置のプロセッサへ提供され得る。これらのコンピュータ可読プログラム命令は、中に命令を保存するコンピュータ可読記憶媒体が、フローチャート及び／又はブロック図の一つ若しくは複数のブロックで規定される機能／動作の態様を実装する命令を含む製品を有するように、コンピュータ、プログラマブルデータ処理装置、及び／又は他のデバイスを特定の方法で機能するように指示し得るコンピュータ可読記憶媒体にも保存され得る。
【０１８５】
コンピュータ可読プログラム命令は、コンピュータ、他のプログラマブル装置、若しくは他のデバイス上で実行する命令が、フローチャート及び／又はブロック図の一つ若しくは複数のブロックで規定される機能／動作を実装するように、コンピュータ実装プロセスを生成するために一連の操作ステップをコンピュータ、他のプログラマブル装置若しくは他のデバイス上で実行させるため、コンピュータ、他のプログラマブルデータ処理装置、若しくは他のデバイス上へロードされてもよい。
【０１８６】
図中のフローチャート及びブロック図は、本発明の様々な実施形態にかかるシステム、方法、及びコンピュータプログラム製品の可能な実施例のアーキテクチャ、機能、及び操作を例示する。これに関して、フローチャート若しくはブロック図における各ブロックは、規定論理機能を実装するための一つ以上の実行可能命令を有するモジュール、セグメント若しくは命令の一部をあらわし得る。一部の代替実施例において、ブロックで言及される機能は図中で言及される順序外で起こり得る。例えば、連続して示される二つのブロックは、実際には実質的に同時に実行され得るか、又は関与する機能に応じてブロックが時折逆順で実行され得る。ブロック図及び／又はフローチャート図の各ブロック、ブロック図及び／又はフローチャート図におけるブロックの組み合わせは、規定機能若しくは動作を実行する又は専用ハードウェアとコンピュータ命令の組み合わせを実行する専用ハードウェアベースシステムにより実装され得る。
【０１８７】
記載は例示と説明の目的で提示されており、包括的であったり開示の形式の発明に限定されることを意図しない。多くの修正及び変更が当業者に明らかであろう。実施形態は提示の実施形態、実用的応用の原理をもっともよく説明するために選ばれ記載されており、当業者が様々な実施形態を理解することを可能にするために様々な変更が考慮される。
【図１】
0006602386.tif 000002
【図２】
0006602386.tif 000003
【図３Ａ】
0006602386.tif 000004
【図３Ｂ】
0006602386.tif 000005
【図４Ａ】
0006602386.tif 000006
【図４Ｂ】
0006602386.tif 000007
【図４Ｃ】
0006602386.tif 000008
【図５】
0006602386.tif 000009
【図６】
0006602386.tif 000010
【図７】
0006602386.tif 000011